(57)【要約】  本出願は、データ伝送方法、ユーザ機器、および基地局を提供する。方法は、ユーザ機器UEのための基地局のスケジューリングフリーシナリオに適用され、方法は、UEによって、複数の伝送リソースグループからターゲットリソースグループを決定するステップと、基地局がターゲットリソースグループに対応する伝送フォーマットを使用してデータに対してデータ処理を実行するように、UEによって、ターゲットリソースグループ内の伝送リソースを使用して基地局にデータを送信するステップとを含む。したがって、スケジューリングフリー伝送プロセスにおいて、ユーザ機器は、複数の伝送リソースグループからターゲット伝送リソースグループ内の伝送リソースを選択して、データを基地局に送信し、その結果、基地局は、ユーザ機器のカバレッジ状況に対して、ユーザ機器によって送信されたデータを処理するために、ユーザ機器のための適切な伝送フォーマットを柔軟に設定することができる。
2019520768.tif 000002
【特許請求の範囲】
【請求項１】
データ伝送方法であって、前記方法は、ユーザ機器UEのための基地局のスケジューリングフリーシナリオに適用され、前記方法は、
前記UEによって、複数の伝送リソースグループからターゲットリソースグループを決定するステップと、
前記基地局が前記ターゲットリソースグループに対応する伝送フォーマットを使用してデータに対してデータ処理を実行するように、前記UEによって、前記ターゲットリソースグループ内の伝送リソースを使用して前記基地局に前記データを送信するステップと
を含む、方法。
【請求項２】
前記UEによって、複数の伝送リソースグループからターゲットリソースグループを決定する前記ステップが、
前記UEによって、セル内の前記UEのカバレッジ状況を決定するステップであって、前記カバレッジ状況は、前記セル内の前記UEの位置に関連し、前記セル内の前記UEの前記位置は、前記UEのチャネル伝送状態に関連する、ステップと、
前記UEによって、前記複数の伝送リソースグループに関する情報を取得するステップであって、前記複数の伝送リソースグループは、異なる伝送リソースに対応する、ステップと、
前記複数の伝送リソースグループに関する前記情報および前記UEの前記カバレッジ状況に基づいて前記UEによって、前記複数の伝送リソースグループから前記UEの前記カバレッジ状況に対応する前記ターゲットリソースグループを決定するステップと
を含む、請求項1に記載の方法。
【請求項３】
前記UEによって、前記セル内のUEのカバレッジ状況を決定する前記ステップが、
前記UEによって、前記UEの前記カバレッジ状況を示すために使用され、前記基地局によって送信されるカバレッジ指示情報を受信するステップ、または、
前記UEによって、前記基地局によって送信された最後に受信したダウンリンク基準信号の電力に基づいて、前記UEの前記カバレッジ状況を決定するステップ
を含む、請求項2に記載の方法。
【請求項４】
前記UEによって、前記複数の伝送リソースグループに関する情報を取得する前記ステップが、
前記UEによって、前記基地局によって送信された前記複数の伝送リソースグループに関する前記情報を受信するステップ
を含む、請求項2または3に記載の方法。
【請求項５】
前記UEによって、複数の伝送リソースグループからターゲットリソースグループを決定する前記ステップが、
前記UEによって、前記ターゲットリソースグループを示すために使用され、前記基地局によって送信されるリソース指示情報を受信するステップ
を含む、請求項1から4のいずれか一項に記載の方法。
【請求項６】
前記UEによって、複数の伝送リソースグループからターゲットリソースグループを決定する前記ステップの前に、前記方法が、
前記UEによって、前記基地局によって送信された前記最後に受信したダウンリンク基準信号の前記電力に基づいて前記UEの前記カバレッジ状況を決定するステップと、
前記UEによって、前記UEの前記カバレッジ状況を示すために使用される前記カバレッジ指示情報を前記基地局に送信するステップと
をさらに含む、請求項5に記載の方法。
【請求項７】
前記セル内の前記UEの前記カバレッジ状況がエッジカバレッジであるときに、前記UEによって決定された前記ターゲットリソースグループが対応する伝送リソースグループである場合、前記方法が、
前記UEによって、複数のバンドルされた伝送時間間隔TTIで前記基地局に前記データを送信するステップであって、前記データを送信するための開始TTIは、前記ターゲットリソースグループ内の別の伝送リソースを個別に使用する他のUEによって前記複数のバンドルされたTTIでデータを送信するための開始TTIと同じである、ステップ
をさらに含む、請求項1から6のいずれか一項に記載の方法。
【請求項８】
前記伝送リソースが、プリアンブルシーケンス、パイロットリソース、時間領域リソース、周波数リソース、コードワードリソース、およびビームリソースのうちの少なくとも1つを含む、請求項1から7のいずれか一項に記載の方法。
【請求項９】
データ伝送方法であって、前記方法が、ユーザ機器UEのための基地局のスケジューリングフリーシナリオに適用され、前記方法は、
ターゲットリソースグループ内の伝送リソースで前記基地局によって、前記UEによって送信されたデータを受信するステップと、
前記基地局によって、前記ターゲットリソースグループに対応する伝送フォーマットを使用して前記データに対してデータ処理を実行するステップと
を含む、方法。
【請求項１０】
ターゲットリソースグループ内の伝送リソースで前記基地局によって、前記UEによって送信されたデータを受信する前記ステップの前に、前記方法が、
前記基地局によって、セル内の前記UEのカバレッジ状況を決定するステップであって、前記カバレッジ状況は、前記セル内の前記UEの位置に関連し、前記セル内の前記UEの前記位置は、前記UEのチャネル伝送状態に関連する、ステップと、
前記基地局によって、複数の伝送リソースグループに関する情報を決定するステップであって、前記複数の伝送リソースグループは、異なる伝送リソースに対応する、ステップと、
前記複数の伝送リソースグループに関する前記情報および前記UEの前記カバレッジ状況に基づいて前記基地局によって、前記複数の伝送リソースグループから前記UEの前記カバレッジ状況に対応する前記ターゲットリソースグループを決定するステップと、
前記基地局によって、前記ターゲットリソースグループを示すために使用されるリソース指示情報を前記UEに送信するステップと
をさらに含む、請求項9に記載の方法。
【請求項１１】
前記基地局によって、セル内の前記UEのカバレッジ状況を決定する前記ステップが、
前記基地局によって、前記UEによって送信された最後に受信したアップリンク基準信号の電力に基づいて前記セル内の前記UEの前記カバレッジ状況を決定するステップ、または、
前記基地局によって、前記UEの前記カバレッジ状況を示すために使用され、前記UEによって送信されるカバレッジ指示情報を受信するステップ
を含む、請求項10に記載の方法。
【請求項１２】
前記基地局によって、複数の伝送リソースグループに関する情報を決定する前記ステップが、
前記基地局によって、利用可能な伝送リソースを前記複数の伝送リソースグループに分類するステップ
を含む、請求項10または11に記載の方法。
【請求項１３】
ターゲットリソースグループ内の伝送リソースで前記基地局によって、前記UEによって送信されたデータを受信する前記ステップの前に、前記方法が、
前記基地局によって、利用可能な伝送リソースを前記複数の伝送リソースグループに分類するステップであって、前記複数の伝送リソースグループは異なる伝送リソースに対応し、前記複数の伝送リソースグループは前記ターゲットリソースグループを含む、ステップと、
前記UEが前記複数の伝送リソースグループから前記ターゲットリソースグループを決定するように、前記基地局によって、前記複数の伝送リソースグループに関する前記情報を前記UEに送信するステップと
をさらに含む、請求項9から11のいずれか一項に記載の方法。
【請求項１４】
前記セル内の前記UEの前記カバレッジ状況がエッジカバレッジであるときに、前記ターゲットリソースグループが対応する伝送リソースグループである場合、前記方法が、
前記基地局によって、複数のバンドルされた伝送時間間隔TTIで前記UEによって送信された前記データを受信するステップであって、前記データを送信するための開始TTIは、前記ターゲットリソースグループ内の別の伝送リソースを個別に使用する他のUEによって前記複数のバンドルされたTTIでデータを送信するための開始TTIと同じである、ステップ
をさらに含む、請求項9から13のいずれか一項に記載の方法。
【請求項１５】
前記方法が、
前記基地局によって、前記複数のバンドルされたTTIの各々で前記UEによって送信された受信データに対してハイブリッド自動再送要求HARQ合成処理を実行するステップ
をさらに含む、請求項14に記載の方法。
【請求項１６】
前記伝送リソースが、プリアンブルシーケンス、パイロットリソース、時間領域リソース、周波数リソース、コードワードリソース、およびビームリソースのうちの少なくとも1つを含む、請求項9から15のいずれか一項に記載の方法。
【請求項１７】
ユーザ機器UEであって、前記UEが、前記UEのための基地局のスケジューリングフリーシナリオに適用され、前記ユーザ機器は、
複数の伝送リソースグループからターゲットリソースグループを決定するように構成された決定モジュールと、
前記決定モジュールによって決定された前記ターゲットリソースグループ内の伝送リソースを使用して前記基地局にデータを送信し、前記基地局が前記ターゲットリソースグループに対応する伝送フォーマットを使用して前記データに対してデータ処理を実行するように構成された送信モジュールと
を含む、ユーザ機器。
【請求項１８】
前記決定モジュールが、
セル内の前記UEのカバレッジ状況を決定するように構成された第1の決定サブユニットであって、前記カバレッジ状況は、前記セル内の前記UEの位置に関連し、前記セル内の前記UEの前記位置は、前記UEのチャネル伝送状態に関連する、第1の決定サブユニットと、
前記複数の伝送リソースグループに関する情報を取得するように構成された取得ユニットであって、前記複数の伝送リソースグループは、異なる伝送リソースに対応する、取得ユニットと、
前記複数の伝送リソースグループに関する前記情報および前記UEの前記カバレッジ状況に基づいて、前記複数の伝送リソースグループから前記UEの前記カバレッジ状況に対応する前記ターゲットリソースグループを決定するように構成された第2の決定サブユニットと
を備える、請求項17に記載のユーザ機器。
【請求項１９】
前記第1の決定サブユニットが、
前記UEの前記カバレッジ状況を示すために使用され、前記基地局によって送信されるカバレッジ指示情報を受信する、または、
前記基地局によって送信された最後に受信したダウンリンク基準信号の電力に基づいて、前記UEの前記カバレッジ状況を決定する
ように具体的に構成される、請求項18に記載のユーザ機器。
【請求項２０】
前記取得ユニットが、
前記基地局によって送信された前記複数の伝送リソースグループに関する前記情報を受信する
ように具体的に構成される、請求項18または19に記載のユーザ機器。
【請求項２１】
前記基地局が、
前記ターゲットリソースグループを示すために使用され、前記基地局によって送信されるリソース指示情報を受信するように構成された受信モジュール
をさらに備える、請求項17から20のいずれか一項に記載のユーザ機器。
【請求項２２】
前記決定モジュールが前記複数の伝送リソースグループから前記ターゲットリソースグループを決定する前に、前記決定モジュールが、
前記基地局によって送信された前記最後に受信したダウンリンク基準信号の前記電力に基づいて前記UEの前記カバレッジ状況を決定するようにさらに構成され、
前記送信モジュールは、前記UEの前記カバレッジ状況を示すために使用される前記カバレッジ指示情報を前記基地局に送信するようにさらに構成される、
請求項21に記載のユーザ機器。
【請求項２３】
前記セル内の前記UEの前記カバレッジ状況がエッジカバレッジであるときに、前記UEによって決定された前記ターゲットリソースグループが対応する伝送リソースグループである場合、前記送信モジュールが、
複数のバンドルされた伝送時間間隔TTIで前記基地局に前記データを送信し、前記データを送信するための開始TTIは、前記ターゲットリソースグループ内の別の伝送リソースを個別に使用する他のUEによって前記複数のバンドルされたTTIでデータを送信するための開始TTIと同じである
ようにさらに構成される、請求項17から22のいずれか一項に記載のユーザ機器。
【請求項２４】
基地局であって、前記基地局は、ユーザ機器UEのための前記基地局のスケジューリングフリーシナリオに適用され、前記基地局は、
ターゲットリソースグループ内の伝送リソース上で、前記UEによって送信されたデータを受信するように構成された受信モジュールと、
前記ターゲットリソースグループに対応する伝送フォーマットを使用して前記受信モジュールによって受信された前記データに対してデータ処理を実行するように構成された処理モジュールと
を備える、基地局。
【請求項２５】
前記受信モジュールが前記ターゲットリソースグループ内の前記伝送リソースで、前記UEによって送信された前記データを受信する前に、前記基地局が、
セル内の前記UEの前記カバレッジ状況を決定するように構成された決定モジュールであって、前記カバレッジ状況は、前記セル内の前記UEの位置に関連し、前記セル内の前記UEの位置は、前記UEのチャネル伝送状態に関連し、前記決定モジュールは、
複数の伝送リソースグループに関する情報を決定し、前記複数の伝送リソースグループは、異なる伝送リソースに対応し、
前記複数の伝送リソースグループに関する前記情報および前記UEの前記カバレッジ状況に基づいて、前記複数の伝送リソースグループから前記UEの前記カバレッジ状況に対応する前記ターゲットリソースグループを決定する
ようにさらに構成される、決定モジュールと、
前記決定モジュールによって決定された前記ターゲットリソースグループを示すために使用されるリソース指示情報を前記UEに送信するように構成された第1の送信モジュールと
をさらに備える、請求項24に記載の基地局。
【請求項２６】
前記決定モジュールが、
前記UEによって送信された最後に受信したアップリンク基準信号の電力に基づいて前記セル内の前記UEの前記カバレッジ状況を決定する、または、
前記UEの前記カバレッジ状況を示すために使用され、前記UEによって送信されるカバレッジ指示情報を受信する
ように具体的に構成される、請求項25に記載の基地局。
【請求項２７】
前記決定モジュールが、
利用可能な伝送リソースを前記複数の伝送リソースグループに分類するように構成されたグループ化ユニット
を備える、請求項25または26に記載の基地局。
【請求項２８】
前記受信モジュールが前記ターゲットリソースグループ内の前記伝送リソースで前記UEによって送信された前記データを受信する前に、前記基地局が、
前記利用可能な伝送リソースを前記複数の伝送リソースグループに分類するように構成されたグループ化モジュールであって、前記複数の伝送リソースグループは異なる伝送リソースに対応し、前記複数の伝送リソースグループは前記ターゲットリソースグループを含む、グループ化モジュールと、
前記UEが前記複数の伝送リソースグループから前記ターゲットリソースグループを決定するように、前記複数の伝送リソースグループに関する前記情報を前記UEに送信するように構成された第2の送信モジュールと
をさらに備える、請求項24から27のいずれか一項に記載の基地局。
【請求項２９】
前記セル内の前記UEの前記カバレッジ状況がエッジカバレッジであるときに、前記ターゲットリソースグループが対応する伝送リソースグループである場合、前記受信モジュールが、
複数のバンドルされた伝送時間間隔TTIで前記UEによって送信された前記データを受信し、前記データを送信するための開始TTIは、前記ターゲットリソースグループ内の別の伝送リソースを個別に使用する他のUEによって前記複数のバンドルされたTTIでデータを送信するための開始TTIと同じである
ように具体的に構成される、請求項24から28のいずれか一項に記載の基地局。
【請求項３０】
前記処理モジュールが、
前記複数のバンドルされたTTIの各々で前記UEによって送信された受信データに対してハイブリッド自動再送要求HARQ合成処理を実行する
ように具体的に構成される、請求項29に記載の基地局。
【発明の詳細な説明】
【技術分野】
【０００１】
本発明は通信分野に関し、特に、通信分野におけるデータ伝送方法、ユーザ機器、および基地局に関する。
【背景技術】
【０００２】
近年、モノのインターネット（Internet of Things、略して「IoT」）アプリケーションの継続的な発展に伴い、従来の無線通信システムは、機械間の通信アプリケーション、すなわち機械型通信（Machine−Type Communication、略して「MTC」）に拡張されてきた。MTCの通信サービスは、従来の通信サービスとは異なり、伝送パケットが小さいこと、伝送遅延の影響を受けないこと、およびユーザ数が多いことを主な特徴としている。
【０００３】
現在活発に議論されている第5世代移動通信（5G）技術研究は、MTCサービスを重要な5Gサービス研究シナリオの1つにした。主に、現在の第3世代移動通信（3G）技術および第4世代移動通信（4G）技術は、MTCサービスをサポートするために非常に効率的ではなく、将来の5Gの要件を満たすことができない。大規模接続シナリオでは、5Gの標準的な組織によって提案されたリンクの数は、平方キロメートルあたり10の6乗に達する必要がある。アクセスユーザの数は、既存のロングタームエボリューション（Long Term Evolution、略して「LTE」）システムユーザの数より1000から10000倍大きい。大規模接続通信システムが依然として基地局スケジューリングに基づく独自の伝送方法を使用する場合、ユーザのスケジューリングオーバヘッドは急激に増加する。大規模接続シナリオにおけるユーザ機器のアップリンクスケジューリングオーバヘッドを低減するために、大規模接続には多数のユーザがいるが、ユーザのパケットを送信する頻度は高くなく、通常、パケットは数分に1回送信され、通常、パケットサイズは数十から数百バイトであると考えられる。したがって、スケジューリングフリー伝送メカニズムを使用することは比較的適切である。したがって、業界では、ユーザの競合に基づくスケジューリングフリー伝送方式が広く研究され論じられてきた。
【０００４】
大規模接続シナリオにおけるシステムカバレッジ能力は、リンクのユーザ数に直接影響する。通信システムのカバレッジが制限されている場合、これは潜在的なユーザ数が制限されていることを意味する。しかしながら、現在のスケジューリングフリー伝送方式は、ネットワークのカバレッジが悪い。
【０００５】
システムは大規模接続においてスケジューリングフリーであるため、基地局は受信側でユーザ機器のデータを盲目的に検出する必要があることを意味する。複雑さを軽減するために、ユーザ機器は通常、変調および符号化方式（Modulation and Coding Scheme、略して「MCS」）またはリソースブロック（Resource Block、略して「RB」）などの固定伝送フォーマットを使用することによってデータを送信し、基地局は、ユーザ機器（User Equipment、略して「UE」）の固定MCSまたはRBのみに基づいてデータパケットを受信する。したがって、異なるカバレッジのユーザに対しては、従来の適応変調および符号化（Adaptive Modulation and Coding、略して「AMC」）を使用することができず、システムの性能が制限される。すべての設計がエッジカバレッジのユーザ機器の能力に基づいている場合、システムリソースは比較的冗長で無駄になるからである。しかしながら、すべての設計が中程度のカバレッジレベルのユーザ機器に基づいている場合、エッジカバレッジのユーザ機器の伝送性能は損なわれる。
【０００６】
したがって、現在のスケジューリングフリー伝送方式では、基地局は、ユーザ機器によって送信されたデータを処理するために、ユーザ機器のカバレッジレベルに基づいてユーザ機器に適切な伝送フォーマットを適応的に設定することができない。
【発明の概要】
【０００７】
これを考慮して、本発明の実施形態は、基地局がユーザ機器のカバレッジ状況に対して、スケジューリングフリー伝送プロセスにおいてユーザ機器が送信したデータを柔軟に処理することができないという問題を解決するための、データ伝送方法、ユーザ機器、および基地局を提供する。
【課題を解決するための手段】
【０００８】
第1の態様によれば、データ伝送方法が提供され、方法は、ユーザ機器UEのための基地局のスケジューリングフリーシナリオに適用され、方法は：
UEによって、複数の伝送リソースグループからターゲットリソースグループを決定するステップと、
基地局がターゲットリソースグループに対応する伝送フォーマットを使用してデータに対してデータ処理を実行するように、UEによって、ターゲットリソースグループ内の伝送リソースを使用して基地局にデータを送信するステップと
を含む。
【０００９】
したがって、本発明のこの実施形態におけるデータ伝送方法によれば、スケジューリングフリー伝送プロセスにおいて、ユーザ機器は、複数の伝送リソースグループからターゲット伝送リソースグループ内の伝送リソースを選択して、データを基地局に伝送し、その結果、基地局は、ユーザ機器のカバレッジ状況に対して、ユーザ機器によって送信されたデータを処理するために、ユーザ機器のための適切な伝送フォーマットを柔軟に設定することができる。
【００１０】
伝送リソースは、プリアンブルシーケンス、パイロットリソース、時間領域リソース、周波数リソース、コードワードリソース、およびビームリソースのうちの少なくとも1つを含み得る。
【００１１】
伝送フォーマットは、伝送コードブロックサイズ、データ変調次数、およびデータ符号化方式のうちの少なくとも1つを含み得る。
【００１２】
任意選択で、UEによって、複数の伝送リソースグループからターゲットリソースグループを決定するステップは：
UEによって、セル内のUEのカバレッジ状況を決定するステップであって、カバレッジ状況は、セル内のUEの位置に関連し、セル内のUEの位置は、UEのチャネル伝送状態に関連する、ステップと、
UEによって、複数の伝送リソースグループに関する情報を取得するステップであって、複数の伝送リソースグループは、異なる伝送リソースに対応する、ステップと、
複数の伝送リソースグループに関する情報およびUEのカバレッジ状況に基づいてUEによって、複数の伝送リソースグループからUEのカバレッジ状況に対応するターゲットリソースグループを決定するステップと
を含む。
【００１３】
同じカバレッジ状況を有するユーザ機器のチャネル伝送状態は同様であり、基地局はそのようなユーザ機器に対して同様のデータ処理方法を使用することができる。したがって、カバレッジ状況は特定のチャネル状態または信号状態に対応する。例えば、IoTシステムでは、ユーザ機器のカバレッジ状況は3つのタイプに分類され得、例えば、基地局により近いユーザ機器のカバレッジ状況が「セントラルカバレッジ」であり、基地局からより遠いユーザ機器のカバレッジ状況が「ミディアムカバレッジ」であり、セルエッジまたはベースメントのようなシナリオにおけるユーザ機器のカバレッジ状況が「エッジカバレッジ」である。
【００１４】
UEがエッジカバレッジのユーザ機器である場合、UEのチャネル品質および伝送信号品質は比較的悪く、信号伝送電力は比較的低い。UEがセントラルカバレッジにあるとき、UEのチャネル品質および伝送信号品質は比較的良好であり、信号伝送電力は比較的高い。
【００１５】
任意選択で、UEによって、セル内のUEのカバレッジ状況を決定するステップは：
UEによって、UEのカバレッジ状況を示すために使用され、基地局によって送信されるカバレッジ指示情報を受信するステップ
を含む。
【００１６】
任意選択で、UEによって、セル内のUEのカバレッジ状況を決定するステップは：
UEによって、基地局によって送信された最後に受信したダウンリンク基準信号の電力に基づいてUEのカバレッジ状況を決定するステップ
を含む。
【００１７】
ダウンリンク基準信号はダウンリンクパイロット基準信号であり得、アップリンク基準信号はアップリンクパイロット基準信号であり得る。
【００１８】
任意選択で、UEによって、複数の伝送リソースグループに関する情報を取得するステップは：
UEによって、基地局によって送信された複数の伝送リソースグループに関する情報を受信するステップ
を含む。
【００１９】
基地局は、複数の伝送リソースグループに関する情報を決定し、複数の伝送リソースグループに関する情報をUEに送信して、その結果、UEが複数の伝送リソースグループからターゲットリソースグループを選択することができることを理解されたい。あるいは、UEは、予め合意された複数の伝送リソースグループから、例えばプロトコルで指定された複数の事前に分類された伝送リソースグループから、ターゲットリソースグループを自律的に選択してもよい。
【００２０】
例えば、セルが全部で251個の利用可能な伝送リソース（0から250まで番号付けされた251個のプリアンブルシーケンスに対応する）を有する場合、利用可能な伝送リソースは以下のようにグループ化されてもよい。
a．エッジカバレッジ：毎回受信される情報ビットは50ビットを超えず、変調次数は0であり、ポーラ符号化方式が使用される：シーケンス0〜60および211〜250。
b．ミディアムカバレッジ：毎回受信される情報ビットは200ビットを超えず、変調次数は10であり、ターボ符号化方式が使用される：シーケンス61〜150。
c．セントラルカバレッジ：毎回受信される情報ビットは400ビットを超えず、変調次数は15であり、CC符号化方式が使用される：シーケンス151〜210。
【００２１】
別の例では、セルが全部で6つの利用可能な伝送リソース（0から5まで番号付けされた6つのパイロットに対応する）を有する場合、利用可能な伝送リソースは以下のようにグループ化されてもよい。
a．エッジカバレッジ：毎回受信される情報ビットは50ビットを超えず、変調次数は0であり、ポーラ符号化方式が使用される：シーケンス0および5。
b．ミディアムカバレッジ：毎回受信される情報ビットは200ビットを超えず、変調次数は10であり、ターボ符号化方式が使用される：シーケンス1および2。
c．セントラルカバレッジ：毎回受信される情報ビットは400ビットを超えず、変調次数は15であり、CC符号化方式が使用される：シーケンス3および4。
【００２２】
本明細書における伝送リソースのグループ化は、論理的な伝送リソースのグループ化、例えばパイロットリソースまたはプリアンブルシーケンスのグループ化であり得ることを理解されたい。例えば、異なるパイロットリソースは異なる伝送リソースグループに分類され、したがってユーザ機器の異なるカバレッジ状況に対応する。ただし、異なるパイロットリソースを使用するユーザ機器は同じ時間周波数リソースを占有してもよい。あるいは、伝送リソースのグループ化は、異なる周波数領域リソース、時間領域リソース、またはコード領域リソースのグループ化であってもよい。例えば、異なる周波数領域リソースは異なる伝送リソースグループに分類され、したがって異なるカバレッジ状況に対応する。このようにして、ユーザ機器は、同じパイロットリソースまたはプリアンブルシーケンスを使用し、異なる周波数帯域を使用することによってユーザ機器のカバレッジ状況を区別することができる。
【００２３】
別の実施形態では、セル内のUEの位置が絶えず移動している場合、言い換えると、セル内のUEのカバレッジ状況が絶えず変化している場合、この場合、UEは、複数の伝送リソースグループに関する情報およびセル内のUEのカバレッジ状況に基づいて、複数の伝送リソースグループからUEのカバレッジ状況に対応するターゲットリソースグループを定期的に決定することができる。UEは絶えず移動しており、UEのカバレッジ状況は絶えず変化しているので、異なる時間に決定されたターゲットリソースグループは異なっていてもよい。
【００２４】
任意選択で、UEによって、複数の伝送リソースグループからターゲットリソースグループを決定するステップは：
UEによって、ターゲットリソースグループを示すために使用され、基地局によって送信されるリソース指示情報を受信するステップ
を含む。
【００２５】
具体的には、UEは、複数の伝送リソースグループからUEによって決定されたターゲットリソースグループ内の伝送リソースでデータを送信することに加えて、基地局の指示に基づいて、基地局によって示されたターゲットリソースグループ内の伝送リソースでデータをさらに送信することができる。
【００２６】
任意選択で、UEによって、複数の伝送リソースグループからターゲットリソースグループを決定するステップの前に、方法は：
UEによって、基地局によって送信された最後に受信したダウンリンク基準信号の電力に基づいてUEのカバレッジ状況を決定するステップと、
UEによって、UEのカバレッジ状況を示すために使用されるカバレッジ指示情報を基地局に送信するステップと
をさらに含む。
【００２７】
任意選択で、セル内のUEのカバレッジ状況がエッジカバレッジであるときに、UEによって決定されたターゲットリソースグループが対応する伝送リソースグループである場合、方法は：
UEによって、複数のバンドルされた伝送時間間隔TTIで基地局にデータを送信するステップであって、データを送信するための開始TTIは、ターゲットリソースグループ内の別の伝送リソースを個別に使用する他のUEによって複数のバンドルされたTTIでデータを送信するための開始TTIと同じである、ステップ
をさらに含む。
【００２８】
バンドルされたTTIでエッジカバレッジの複数のユーザ機器によってデータを送信するための開始TTIは同じである。したがって、複数のバンドルされた連続TTIでのユーザ機器のデータは一意であることが制限される。競合によって伝送リソースを取得するユーザ機器がバンドルされたTTIでデータを送信するとき、ユーザ機器は、エッジカバレッジの他のユーザ機器によって送信されたデータによって干渉されない。
【００２９】
任意選択で、複数のバンドルされたTTIは、連続TTIまたは不連続TTIを含む。
【００３０】
複数のバンドルされたTTIは時間連続TTIを含んでもよく、また、時間不連続TTIを含んでもよく、例えば、アップリンク伝送のためのTTIのみがバンドルされる。これは主に、システム内のアップリンクサブフレームとダウンリンクサブフレームとの構成比に依存する。例えば、TTIバンドリングのパターンは、サブフレーム構成に基づいて予め合意された方法を使用することによって決定され得る。
【００３１】
第2の態様によれば、データ伝送方法が提供され、方法は、ユーザ機器UEのための基地局のスケジューリングフリーシナリオに適用され、方法は：
ターゲットリソースグループ内の伝送リソースで基地局によって、UEによって送信されたデータを受信するステップと、
基地局によって、ターゲットリソースグループに対応する伝送フォーマットを使用してデータに対してデータ処理を実行するステップと
を含む。
【００３２】
したがって、本発明のこの実施形態におけるデータ伝送方法によれば、基地局は、ユーザ機器がデータを送信するときに使用される伝送リソースのターゲット伝送リソースグループに基づいて、ユーザ機器によって送信されたデータを処理するためにユーザ機器に適切な伝送フォーマットを設定し、その結果、基地局は、スケジューリングフリー伝送プロセスにおいてユーザ機器のカバレッジ状況に対して、ユーザ機器によって送信されたデータを柔軟に処理することができる。
【００３３】
伝送リソースは、プリアンブルシーケンス、パイロットリソース、時間領域リソース、周波数リソース、コードワードリソース、およびビームリソースのうちの少なくとも1つを含み得る。
【００３４】
伝送フォーマットは、伝送コードブロックサイズ、データ変調次数、およびデータ符号化方式のうちの少なくとも1つを含み得る。
【００３５】
任意選択で、ターゲットリソースグループ内の伝送リソースで基地局によって、UEによって送信されたデータを受信するステップの前に、方法は：
【００３６】
ターゲットリソースグループ内の伝送リソースで基地局によって、UEによって送信されたデータを受信するステップの前に、方法は：
基地局によって、セル内のUEのカバレッジ状況を決定するステップであって、カバレッジ状況は、セル内のUEの位置に関連し、セル内のUEの位置は、UEのチャネル伝送状態に関連する、ステップと、
基地局によって、複数の伝送リソースグループに関する情報を決定するステップであって、複数の伝送リソースグループは、異なる伝送リソースに対応する、ステップと、
複数の伝送リソースグループに関する情報およびUEのカバレッジ状況に基づいて基地局によって、複数の伝送リソースグループからUEのカバレッジ状況に対応するターゲットリソースグループを決定するステップと、
基地局によって、ターゲットリソースグループを示すために使用されるリソース指示情報をUEに送信するステップと
を含む。
【００３７】
任意選択で、基地局によって、セル内のUEのカバレッジ状況を決定するステップは：
基地局によって、UEによって送信された最後に受信したアップリンク基準信号の電力に基づいてセル内のUEのカバレッジ状況を決定するステップ
を含む。
【００３８】
任意選択で、基地局によって、セル内のUEのカバレッジ状況を決定するステップは：
基地局によって、UEのカバレッジ状況を示すために使用され、UEによって送信されたカバレッジ指示情報を受信するステップ
を含む。
【００３９】
任意選択で、ダウンリンク基準信号はダウンリンクパイロット基準信号であってもよく、アップリンク基準信号はアップリンクパイロット基準信号であってもよい。
【００４０】
任意選択で、基地局によって、複数の伝送リソースグループに関する情報を決定するステップは：
基地局によって、利用可能な伝送リソースを複数の伝送リソースグループに分類するステップ
を含む。
【００４１】
基地局は、複数の伝送リソースグループに関する情報を決定し、複数の伝送リソースグループに関する情報をUEに送信して、その結果、UEが複数の伝送リソースグループからターゲットリソースグループを選択することができることを理解されたい。あるいは、UEは、予め合意された複数の伝送リソースグループから、例えばプロトコルで指定された複数の事前に分類された伝送リソースグループから、ターゲットリソースグループを自律的に選択してもよい。
【００４２】
例えば、セル内のユーザ機器によってアップリンクデータ伝送を実行するために使用することができる周波数帯域が1000MHz〜2500MHzの周波数を含む場合、周波数は以下のようにグループ化されてもよい：
【００４３】
a．エッジカバレッジ：毎回受信される情報ビットは50ビットを超えず、変調次数は0であり、ポーラ符号化方式が使用される：周波数1000MHz〜1500MHz。
【００４４】
b．ミディアムカバレッジ：毎回受信される情報ビットは200ビットを超えず、変調次数は10であり、ターボ符号化方式が使用される：周波数1500MHz〜2000MHz。
【００４５】
c．セントラルカバレッジ：毎回受信される情報ビットは400ビットを超えず、変調次数は15であり、CC符号化方式が使用される：周波数2000MHz〜2500MHz。
【００４６】
別の例では、ユーザ機器がアップリンクデータ伝送を実行するとき、異なるカバレッジ状況を有するユーザ機器は、データを伝送するために異なるサブフレームを使用してもよく、サブフレームは以下のようにグループ化されてもよい：
a．エッジカバレッジ：毎回受信される情報ビットは50ビットを超えず、変調次数は0であり、ポーラ符号化方式が使用される：サブフレーム0〜サブフレーム3。
b．ミディアムカバレッジ：毎回受信される情報ビットは200ビットを超えず、変調次数は10であり、ターボ符号化方式が使用される：サブフレーム4〜サブフレーム6。
c．セントラルカバレッジ：毎回受信される情報ビットは400ビットを超えず、変調次数は15であり、CC符号化方式が使用される：サブフレーム7〜サブフレーム10。
【００４７】
任意選択で、ターゲットリソースグループ内の伝送リソースで基地局によって、UEによって送信されたデータを受信するステップの前に、方法は：
基地局によって、利用可能な伝送リソースを複数の伝送リソースグループに分類するステップであって、複数の伝送リソースグループは異なる伝送リソースに対応し、複数の伝送リソースグループはターゲットリソースグループを含む、ステップと、
UEが複数の伝送リソースグループからターゲットリソースグループを決定するように、基地局によって、複数の伝送リソースグループに関する情報をUEに送信するステップ
をさらに含む。
【００４８】
任意選択で、基地局によって、複数の伝送リソースグループに関する情報をUEに送信するステップは：
基地局によって、ブロードキャストメッセージ内の複数の伝送リソースグループに関する情報をブロードキャストするステップ
を含む。
【００４９】
基地局が複数の伝送リソースグループに関する情報をUEに直接送信する場合、UEは複数の伝送リソースグループに関する情報を直接受信する。基地局がブロードキャストメッセージ内の複数の伝送リソースグループに関する情報をブロードキャストする場合、UEはブロードキャストメッセージを読み取り、ブロードキャストメッセージから複数の伝送リソースグループに関する情報を取得する必要がある。
【００５０】
任意選択で、セル内のUEのカバレッジ状況がエッジカバレッジであるときに、ターゲットリソースグループが対応する伝送リソースグループである場合、方法は：
基地局によって、複数のバンドルされた伝送時間間隔TTIでUEによって送信されたデータを受信するステップであって、データを送信するための開始TTIは、ターゲットリソースグループ内の別の伝送リソースを個別に使用する他のUEによって複数のバンドルされたTTIでデータを送信するための開始TTIと同じである、ステップ
をさらに含む。
【００５１】
任意選択で、方法は：
基地局によって、複数のバンドルされたTTIの各々でUEによって送信された受信データに対してハイブリッド自動再送要求HARQ合成処理を実行するステップ
をさらに含む。
【００５２】
任意選択で、複数のバンドルされたTTIは、連続TTIまたは不連続TTIを含む。
【００５３】
このスケジューリングフリーの場合にTTIバンドリング方式でデータを伝送するための方法は、独立して実行されてもよいことを理解されたい。具体的には、基地局はユーザ機器に適切な伝送フォーマットを設定しないことがあり、例えば、基地局は固定伝送フォーマットを使用することによってデータを処理することがある。ユーザ機器のカバレッジ状況がエッジカバレッジであることを知ると、ユーザ機器は、ランダムに選択されかつ競合している伝送リソースで、TTIバンドリング方式でエッジカバレッジの他のユーザ機器と同じ開始TTIでデータを基地局に直接送信することができる。基地局は、バンドルされたTTIで受信したデータに対してHARQ合成処理を実行する。
【００５４】
別の実施形態では、セル内のUEの位置が絶えず移動している場合、セル内のUEのカバレッジ状況は絶えず変化している。この場合、基地局は、ターゲットリソースグループ内の伝送リソースを使用してアップリンクデータを送信するようにUEに指示するために、複数の伝送リソースグループに関する情報およびセル内のUEのカバレッジ状況に基づいて、複数の伝送リソースグループからUEのカバレッジ状況に対応するターゲットリソースグループを定期的に決定することができる。UEは絶えず移動しており、UEのカバレッジ状況は絶えず変化しているので、異なる期間に決定されたターゲットリソースグループは異なっていてもよい。
【００５５】
第3の態様によれば、ユーザ機器が提供される。ユーザ機器は、第1の態様における方法または第1の態様の任意の可能な実装形態を実行するように構成され、ユーザ機器は、ユーザ機器のための基地局のスケジューリングフリーシナリオに適用される。具体的には、ユーザ機器は：
複数の伝送リソースグループからターゲットリソースグループを決定するように構成された決定モジュールと、
決定モジュールによって決定されたターゲットリソースグループ内の伝送リソースを使用して基地局にデータを送信し、基地局がターゲットリソースグループに対応する伝送フォーマットを使用してデータに対してデータ処理を実行するように構成された送信モジュールと
を含む。
【００５６】
第4の態様によれば、基地局が提供される。基地局は、第2の態様における方法または第2の態様の任意の可能な実装形態を実行するように構成され、基地局は、ユーザ機器UEのための基地局のスケジューリングフリーシナリオに適用される。具体的には、基地局は：
ターゲットリソースグループ内の伝送リソース上で、UEによって送信されたデータを受信するように構成された受信モジュールと、
ターゲットリソースグループに対応する伝送フォーマットを使用してデータに対してデータ処理を実行するように構成された処理モジュールと
を含む。
【００５７】
第5の態様によれば、プロセッサ、メモリ、バスシステム、受信機、および送信機を含むユーザ機器が提供される。送信機および受信機はそれぞれ、通信プロセスにおいて情報を送受信するように構成される。メモリは、命令を格納するように構成される。プロセッサは、メモリに格納された命令を実行するように構成される。メモリに格納された命令が実行されると、プロセッサは、第1の態様における方法または第1の態様の任意の可能な実装態様を実行する。具体的には、プロセッサは：
複数の伝送リソースグループからターゲットリソースグループを決定する
ように具体的に構成される。
【００５８】
送信機は、決定モジュールによって決定されたターゲットリソースグループ内の伝送リソースを使用することによって基地局にデータを送信するように構成され、その結果、基地局はターゲットリソースグループに対応する伝送フォーマットを使用してデータに対してデータ処理を実行する。
【００５９】
第6の態様によれば、プロセッサ、メモリ、バスシステム、受信機、および送信機を含む基地局が提供される。送信機および受信機はそれぞれ、通信プロセスにおいて情報を送受信するように構成される。メモリは、命令を格納するように構成される。プロセッサは、メモリに格納された命令を実行するように構成される。メモリに格納された命令が実行されると、プロセッサは、第2の態様における方法または第2の態様の任意の可能な実装形態を実行する。具体的には、受信機は：
ターゲットリソースグループ内の伝送リソースで、UEによって送信されたデータを受信する
ように具体的に構成される。
【００６０】
プロセッサは、ターゲットリソースグループに対応する伝送フォーマットを使用することによってデータに対してデータ処理を実行するように構成される。
【００６１】
第7の態様によれば、コンピュータ可読媒体が提供される。コンピュータ可読媒体はコンピュータプログラムを格納するように構成される。コンピュータプログラムは、第1の態様における方法または第1の態様の任意の可能な実装形態を実行するための命令を含む。
【００６２】
第8の態様によれば、コンピュータ可読媒体が提供される。コンピュータ可読媒体はコンピュータプログラムを格納するように構成される。コンピュータプログラムは、第2の態様における方法または第2の態様の任意の可能な実装形態を実行するための命令を含む。
【００６３】
上記の技術的解決策に基づいて、本発明の実施形態におけるデータ伝送方法によれば、ユーザ機器は、複数の伝送リソースグループからターゲットリソースグループを選択してデータを基地局に送信し、基地局は、ユーザ機器がデータを送信するときに使用される伝送リソースのターゲットリソースグループを決定し、その結果、スケジューリングフリー伝送プロセスにおいてユーザ機器によって送信されたデータを処理するために適切な伝送フォーマットを柔軟に選択し、基地局のデータ受信および処理性能を改善する。
【００６４】
より明確に本発明の実施形態における技術的解決策を説明するために、本発明の実施形態を説明するために必要な添付の図面を以下に簡単に説明する。明らかに、以下の説明において添付の図面は、本発明のいくつかの実施形態を単に示しており、当業者は、創造的な取り組みをすることなく、これらの添付図面から他の図面を導き出すことが可能である。
【図面の簡単な説明】
【００６５】
【図１】本発明の実施形態で使用される通信システムを示す図である。
【図２】本発明の一実施形態によるスケジューリングフリー伝送方式に基づくアップリンク伝送プロセスを示す図である。
【図３】本発明の一実施形態によるデータ伝送方法のインタラクティブなフローチャートである。
【図４】本発明の別の実施形態によるデータ伝送方法のインタラクティブなフローチャートである。
【図５】本発明の一実施形態によるユーザ機器によってターゲットリソースグループを決定するフローチャートである。
【図６】本発明の一実施形態によるeNodeBによってターゲットリソースグループを決定するフローチャートである。
【図７】本発明の一実施形態による、TTIバンドリング伝送方式でエッジカバレッジのユーザ機器によって実行されるデータ伝送の概略図である。
【図８】本発明の一実施形態による、TTIバンドリングを使用するユーザ機器のデータ伝送時間が同期していないときに引き起こされる干渉の概略図である。
【図９】本発明の一実施形態による、連続サブフレームにおけるTTIバンドリング伝送の概略図である。
【図１０】本発明の一実施形態による、不連続サブフレームにおけるTTIバンドリング伝送の概略図である。
【図１１】本発明の一実施形態による基地局の構造ブロック図である。
【図１２】本発明の一実施形態によるユーザ機器の構造ブロック図である。
【図１３】本発明の一実施形態による基地局の構造ブロック図である。
【図１４】本発明の一実施形態によるユーザ機器の構造ブロック図である。
【発明を実施するための形態】
【００６６】
本発明の実施形態における技術的解決策を、本発明の実施形態における添付図面を参照して、明確かつ完全に以下に説明する。明らかに、説明される実施形態は、本発明の実施形態のすべてではなく、一部である。創造的な取り組みをすることなく、本発明の実施形態に基づいて当業者によって得られる他のすべての実施形態は、本発明の保護範囲内に含まれるものとする。
【００６７】
本発明の実施形態の技術的解決策は、グローバル・システム・フォー・モバイル・コミュニケーションズ（Global System for Mobile Communications、略して「GSM」（登録商標））システム、符号分割多元接続（Code Division Multiple Access、略して「CDMA」）システム、広帯域符号分割多元接続（Wideband Code Division Multiple Access、略して「WCDMA」（登録商標））システム、汎用パケット無線サービス（General Packet Radio Service、略して「GPRS」）、ロングタームエボリューション（Long Term Evolution、略して「LTE」）システム、LTE周波数分割複信（Frequency Division Duplex、略して「FDD」）システム、LTE時分割複信（Time Division Duplex、略して「TDD」）、ユニバーサル移動体通信システム（Universal Mobile Telecommunication System、略して「UMTS」）、ワールドワイド・インターオペラビリティ・フォー・マイクロウェーブ・アクセス（Worldwide Interoperability for Microwave Access、略して「WiMAX」）通信システムなどの様々な通信システムに適用され得る。本発明の実施形態では、説明のための一例としてLTE通信システムを使用する。
【００６８】
本発明の実施形態では、ユーザ機器（User Equipment、略してUE）は、端末（Terminal）、移動局（Mobile Station、略して「MS」）、携帯端末（Mobile Terminal）などと呼ばれることがあることをさらに理解されたい。ユーザ機器は、無線アクセスネットワーク（Radio Access Network、略して「RAN」）を使用することによって1つまたは複数のコアネットワークと通信することができる。例えば、ユーザ機器は、携帯電話機（「セルラ」電話機とも呼ばれる）または携帯端末を有するコンピュータであってもよい。例えば、ユーザ機器はまた、無線アクセスネットワークと音声および／またはデータを交換する、携帯用、ポケットサイズの、ハンドヘルドの、コンピュータ内蔵の、または車載のモバイル機器であってもよい。
【００６９】
本発明の実施形態では、基地局は、GSM（登録商標）またはCDMAシステムにおける基地トランシーバ局（Base Transceiver Station、略して「BTS」）であってもよく、WCDMA（登録商標）におけるノードB（NodeB、略して「NB」）であってもよく、またはLTEもしくは別のネットワーク側デバイスにおける進化型ノードB（Evolutional NodeB、略して「eNB」または「eNodeB」）であってもよく、これは本発明において限定されない。しかしながら、説明を容易にするために、以下の実施形態は、例としてeNodeBを使用することによって説明される。
【００７０】
図1は、本発明の実施形態で使用される通信システムを示している。無線通信システムは少なくとも1つの基地局を含み得る。基地局は、特定の地理的エリアに通信カバレッジを提供することができ、そのカバレッジエリア（セル）内の端末デバイスと通信することができる。無線通信システム100は、基地局のカバレッジエリア内に配置された複数のユーザ機器をさらに含む。ユーザ機器は移動式でも固定式でもよい。図1は、1つの基地局と3つの端末デバイスの例を示している。図1は、eNodeB10と、eNodeB10と通信するUE20、UE30、およびUE40とを示している。UE20およびUE30は、eNodeB10のカバレッジエリア（セル）のエッジエリアに位置し、UE40は、eNodeB10のカバレッジエリア（セル）のセントラルエリアに位置する。
【００７１】
通信システムは複数の基地局をさらに含むことができ、各基地局のカバレッジエリアは他の数のユーザ機器を含むことができることを理解されたい。これは、本発明のこの実施形態において限定されない。
【００７２】
図2は、本発明の実施形態によるスケジューリングフリー伝送方式に基づくアップリンク伝送プロセスを示している。図2に示すように、本発明のこの実施形態による大規模接続通信システムの基本ネットワークアーキテクチャは、eNodeB10と、少なくとも1つの無線端末、例えば、UE20、UE30、およびUE40などのユーザ機器とを含むことができる。図2に示すように、eNodeB10は、UE20、UE30、およびUE40などのユーザ機器のうちの少なくとも1つに通信サービスを提供し、コアネットワークにアクセスするように構成される。ここでは、説明のための一例として、eNodeB10とUE20、UE30、およびUE40との間の無線通信を用いる。
【００７３】
UE20、UE30、およびUE40は、最初はアクセスのためにランダムアクセスチャネル（Random Access Channel、略して「RACH」）を使用する。従来の無線リソース制御（Radio Resource Control、略して「RRC」）シグナリング接続が確立された後、UE20、UE30、およびUE40は、必要に応じて、物理アップリンク共有チャネル（Physical Uplink Shared Channel、略して「PUSCH」）上でデータを送信することができる。基地局スケジューリングに基づく従来の伝送方法とは異なり、UE20、UE30、およびUE40は、PUSCH上でデータを送信する前にeNodeB10のスケジューリング命令を事前に取得する必要はないが、データを直接送信することができ、次いで、eNodeBによって配信された肯定応答（Acknowledgement、略して「ACK」）メッセージまたは否定応答（Negative Acknowledgement、略して「NACK」）メッセージを予め設定された時間ウィンドウ内で検出する。eNodeB10検出エラーが見つかった場合、ユーザ機器は再伝送を開始する。スケジューリングフリー伝送メカニズムを使用することの最大の利点は、スケジューリングオーバヘッドが節約され得、そしてユーザのデータ伝送のための待ち時間が減少され得ることである。
【００７４】
しかしながら、現在のスケジューリングフリー伝送方式では、eNodeB10は、ユーザ機器のカバレッジレベルに基づいて、ユーザ機器に適合する伝送フォーマット、例えば、変調および符号化方式および伝送コードブロックサイズを適応的に使用することができないため、eNodeBは、ユーザ機器のカバレッジ状況について、ユーザ機器によって送信されたデータを柔軟に処理することができず、システムの受信性能は比較的劣っている。
【００７５】
また、従来の伝送時間間隔（Transmission Time Interval、略して「TTI」）バンドリング（bundling）伝送方法は、eNodeB10スケジューリングに基づいているので、eNodeB10の受信側を、スケジューリングによって予測することができる。しかしながら、スケジューリングフリーシナリオでは、eNodeB10の受信側は前述の情報を取得することができない。それがフルトラバーサルシナリオに基づいて実施される場合、受信機の複雑さは急激に増大する。したがって、フルトラバーサルシナリオは通常使用されない。
【００７６】
また、スケジューリングフリー伝送方式では、物理層は、パイロット（Pilot）またはプリアンブル（Preamble）シーケンスを用いて現在の伝送時間間隔（Transmission Time Interval、略して「TTI」）のユーザ機器（User Equipment、略して「UE」）を区別することができるが、ユーザ機器のアイデンティティを完全に識別することはできず、ユーザ機器の識別子（Identifier、略して「ID」）は、通常、データパケットヘッダ内で運ばれ、データリンク層によってのみ解析できる。したがって、物理層はユーザ機器の履歴データを維持することができない。復調エラーを伴うデータパケットの場合、物理層とデータリンク層の両方は、データパケットのユーザ機器IDを確認することができない。したがって、従来のハイブリッド自動再送要求（Hybrid Automatic Repeat reQuest、略して「HARQ」）合成および受信技術は、前述のシナリオでは使用が困難である。これは、低いカバレッジレベルでのユーザ機器の受信性能に直接影響を与える。
【００７７】
このアプリケーションシナリオでは、本発明の一実施形態はデータ伝送方法を提供する。基地局は、ユーザ機器がデータを送信するときに使用される伝送リソースの伝送リソースグループ、例えば、変調および符号化方式ならびに伝送コードブロックサイズに基づいて、ユーザ機器に適切な伝送フォーマットを設定し、次に、特定の伝送フォーマットを使用して、ユーザ機器によって送信されたデータを処理し、その結果、基地局がユーザ機器のカバレッジ状況に対して、スケジューリングフリー伝送プロセスにおいてユーザ機器によって送信されたデータを柔軟に処理することができないという問題を解決する。
【００７８】
加えて、本発明のこの実施形態におけるデータ伝送方法では、TTIバンドリング方式でのユーザ機器のデータ送信時間を制限して、バンドルされたTTIにおけるユーザデータが一意であることを保証するため、スケジューリングフリー伝送プロセスでは、データを伝送するためにTTIバンドリング方式を使用することはできず、HARQ合成技術を使用することはできないという問題を解決する。
【００７９】
図3は、本発明の一実施形態によるデータ伝送方法のインタラクティブなフローチャートである。ここでは、説明のための例として、eNodeB10およびUE20を使用する。データ伝送方法は、UE20のためのeNodeB10のスケジューリングフリーシナリオに適用される。図3に示すように、データ伝送手順は具体的には以下のステップを含む。
【００８０】
310．UE20が、ターゲットリソースグループを決定する。
【００８１】
具体的には、利用可能な伝送リソースを複数の伝送リソースグループに分類することができ、複数の伝送リソースグループは異なる伝送リソースに対応し、複数の伝送リソースグループはターゲットリソースグループを含む。UE20は、UE20の状態に基づいて複数の伝送リソースグループからUE20と適合するターゲットリソースグループを選択し、ターゲットリソースグループの伝送リソースから伝送リソースを選択または競合することができる。
【００８２】
任意選択で、UE20は、セル内のUE20のカバレッジ状況に基づいてターゲット伝送リソースを決定することができる。カバレッジ状況はセル内のUE20の位置に関連し、セル内のUE20の位置はUE20のチャネル伝送状態に関連する。例えば、カバレッジ状況は、エッジカバレッジ、セントラルカバレッジ、ミディアムカバレッジなどを含み得る。UE20がエッジカバレッジのユーザ機器である場合、UE20のチャネル品質および伝送信号品質は比較的悪く、信号伝送電力は比較的低い。UE20がセントラルカバレッジにあるとき、UE20のチャネル品質および伝送信号品質は比較的良好であり、信号伝送電力は比較的高い。
【００８３】
320．UE20が、ターゲットリソースグループ内の伝送リソースを使用することによってデータをeNodeBに送信する。
【００８４】
複数の伝送リソースグループからターゲットリソースグループを決定した後、UE20は、ターゲットリソースグループ内の伝送リソースから伝送リソースを選択または競合して、伝送リソースを使用することによってデータをeNodeB10に送信することができる。
【００８５】
330．eNodeB10が、ターゲットリソースグループに対応する伝送フォーマットを使用することによってデータに対してデータ処理を実行する。
【００８６】
ターゲットリソースグループ内の伝送リソース上でUE20によって送信されたデータを受信した後、eNodeB10は、ターゲットリソースグループに対応する伝送フォーマットを使用することによって、UE20によって送信されたデータを処理することができる。異なる伝送リソースグループは異なるデータ処理方法に対応し、異なる伝送リソースで受信されたデータに対してeNodeBによって使用されるデータ処理方法は異なる。
【００８７】
例えば、eNodeB10は、伝送リソースグループに対応する変調および符号化方式を使用することによって、UE20によって使用された伝送リソースの伝送リソースグループに基づいて、UE20によって送信されたデータを処理することができる。例えば、UE20のカバレッジ状況がセントラルカバレッジである場合、UE20によって送信されたデータは、例えば、データが変調されるときに使用される変調次数が15であるような高次かつ高符号化率の変復調方式を使用することによって処理される。UE20のカバレッジ状況がエッジカバレッジである場合、UE20によって送信されたデータは、例えば、データが変調されるときに使用される変調次数が0であるような低次かつ低符号化率の変復調方式を使用することによって処理される。UE20のカバレッジ状況がミディアムカバレッジである場合、UE20によって送信されたデータは、例えば、データが変調されるときに使用される変調次数が10であるような中程度の次数および符号化率を有する変復調方式を使用することによって処理される。
【００８８】
別の例では、eNodeB10は、伝送リソースグループに対応する伝送コードブロックを使用することによって、UE20によって使用された伝送リソースの伝送リソースグループに基づいて、UE20によって送信されたデータをさらに処理することができる。例えば、UE20のカバレッジ状況がセントラルカバレッジである場合、UE20によって送信されたデータは、例えば、データが復調されるときに使用される情報受信ビットの最大量が400ビットであるような比較的大きいコードブロックを使用することによって復調され得る。UE20のカバレッジ状況がエッジカバレッジである場合、UE20によって送信されたデータは、例えば、データが復調されるときに使用される情報受信ビットの最大量が50ビットであるような比較的小さいコードブロックを使用することによって復調される。UE20のカバレッジ状況がミディアムカバレッジである場合、UE20によって送信されたデータは、例えば、データが復調されるときに使用される情報受信ビットの最大量が200ビットであるような中程度のサイズのコードブロックを使用することによって復調される。
【００８９】
したがって、UE20は特定の伝送リソース上でデータを送信するので、eNodeB10は、UE20によって送信されたデータを処理するために、UE20と適合する伝送フォーマットを選択することができる。
【００９０】
なお、複数の伝送リソースグループからUE20に対応するターゲットリソースグループを決定することは、UE20がターゲットリソースグループを決定することであってもよく、またはeNodeB10が、複数の伝送リソースグループからターゲットリソースグループを決定した後、ターゲットリソースグループ内の伝送リソースでデータを送信するようにUE20に指示することであってもよい。
【００９１】
したがって、本発明のこの実施形態では、スケジューリングフリー伝送プロセスにおいて、ユーザ機器は、複数の伝送リソースグループからターゲット伝送リソースグループ内の伝送リソースを選択することによってデータをeNodeBに送信し、その結果、eNodeBは、ユーザ機器がデータを送信するときに使用される伝送リソースの伝送リソースグループに基づいて、ユーザ機器によって伝送されるデータを処理するために、ユーザ機器のカバレッジ状況に対してユーザ機器に適切な伝送フォーマットを柔軟に設定することができる。
【００９２】
図4は、本発明の別の実施形態によるデータ伝送方法のインタラクティブなフローチャートである。データ伝送方法は、UE20のためのeNodeB10のスケジューリングフリーシナリオに適用される。図4に示すように、データ伝送手順は具体的には以下のステップを含む。
【００９３】
410．eNodeB10が、ターゲットリソースグループを決定する。
【００９４】
具体的には、利用可能な伝送リソースを複数の伝送リソースグループに分類することができ、複数の伝送リソースグループは異なる伝送リソースに対応し、複数の伝送リソースグループはターゲットリソースグループを含む。eNodeB10は、UE20の状態に基づいて複数の伝送リソースグループから、UE20と適合するターゲットリソースグループを選択することができるため、UE20は、ターゲットリソースグループの伝送リソースから伝送リソースを選択または競合する。
【００９５】
任意選択で、eNodeB10は、セル内のUE20のカバレッジ状況に基づいてターゲット伝送リソースを決定することができる。カバレッジ状況はセル内のUE20の位置に関連し、セル内のUE20の位置はUE20のチャネル伝送状態に関連する。例えば、カバレッジ状況は、エッジカバレッジ、セントラルカバレッジ、ミディアムカバレッジなどを含み得る。
【００９６】
420．eNodeB10が、ターゲットリソースグループを示すために使用されるリソース指示情報をUE20に送信する。
【００９７】
eNodeB10は、複数の伝送リソースグループからUE20についてUE20と適合するターゲットリソースグループを選択した後、ターゲットリソースグループを示すために使用されるリソース指示情報をUE20に送信することができる。UE20は、リソース指示情報に基づいて、ターゲットリソースグループ内の伝送リソースから伝送リソースを選択または競合し、その結果、伝送リソースを使用することによってeNodeB10にデータを送信する。
【００９８】
430．UE20が、ターゲットリソースグループ内の伝送リソースを使用することによってデータをeNodeBに送信する。
【００９９】
リソース指示情報を受信した後、UE20は、リソース指示情報によって示されたターゲットリソースグループから伝送リソースを選択または競合し、ターゲット伝送リソースグループ内のリソースを使用することによってeNodeBにアップリンクデータを送信することができる。
【０１００】
440．eNodeB10が、ターゲットリソースグループに対応する伝送フォーマットを使用することによってデータに対してデータ処理を実行する。
【０１０１】
ターゲットリソースグループ内の伝送リソース上でUE20によって送信されたデータを受信した後、eNodeB10は、ターゲットリソースグループに対応する伝送フォーマットを使用することによって、UE20によって送信されたデータを処理することができる。ターゲットリソースグループは、UE20の状態に基づいて決定される。したがって、ターゲットグループに対応し、eNodeBによって使用される伝送フォーマットは、UE20と適合し、eNodeBは、ターゲットリソースグループに対応する伝送フォーマットを使用して、UE20によって送信されたデータを受信し処理し、その結果、スケジューリングフリー伝送プロセスにおいて、比較的良好な受信および処理結果を得て、eNodeBの受信性能を向上させる。
【０１０２】
したがって、本発明のこの実施形態では、eNodeBは、ユーザ機器がデータを送信するときに使用される伝送リソースのターゲット伝送リソースグループに基づいて、ユーザ機器によって送信されたデータを処理するためにユーザ機器に適切な伝送フォーマットを設定し、その結果、eNodeBは、スケジューリングフリー伝送プロセスにおいてユーザ機器のカバレッジ状況に対して、ユーザ機器によって送信されたデータを柔軟に処理することができる。
【０１０３】
任意選択で、伝送リソースは、プリアンブルシーケンス、パイロットリソース、時間領域リソース、周波数リソース、コードワードリソース、およびビームリソースのうちの少なくとも1つを含む。
【０１０４】
任意選択で、伝送フォーマットは、伝送コードブロックサイズ、データ変調次数、およびデータ符号化方式のうちの少なくとも1つを含む。
【０１０５】
図5および図6を参照して、以下では、UE20およびeNodeB10がどのように複数の伝送リソースグループからターゲットリソースグループを決定するかについて詳細に別々に説明する。図5は、本発明の一実施形態によるユーザ機器によってターゲットリソースグループを決定するフローチャートである。図5に示すように、UE20によってターゲットリソースグループを決定するプロセスは以下のステップを含む。
【０１０６】
S510．UE20が、セル内のカバレッジ状況を決定する。
【０１０７】
UE20のカバレッジ状況はセル内のUE20の位置に関連し、セル内のUE20の位置はUE20のチャネル伝送状態に関連する。例えば、カバレッジ状況は、エッジカバレッジ、セントラルカバレッジ、ミディアムカバレッジなどを含み得る。UE20がエッジカバレッジのユーザ機器である場合、UE20のチャネル品質および伝送信号品質は比較的悪く、信号伝送電力は比較的低い。UE20がセントラルカバレッジにあるとき、UE20のチャネル品質および伝送信号品質は比較的良好であり、信号伝送電力は比較的高い。
【０１０８】
本発明のこの実施形態では、UEのカバレッジ状況に基づいてリソースをグループ化する方法が追加されている。具体的には、異なる通信環境にあるユーザ機器に対して、eNodeB10がユーザ機器によって送信されたデータパケットを処理する方法は完全に異なり得る。例えば、セルの中心にあるユーザ機器の場合、無線チャネル状態は比較的良好であり、eNodeB10は、大きな伝送コードブロック、高次変調方式などを使用することによってデータ伝送および処理を完了することができる。セルエッジまたはベースメントに位置するユーザ機器の場合、無線チャネル品質は比較的悪く、eNodeB10は、小さいコードブロック、低次変調方式などを使用することによってデータ伝送プロセスにおけるデータ伝送および処理を完了することができる。
【０１０９】
システムがデータを受信するときに良好な性能を保証するために、異なるチャネル状態のユーザ機器は区別される必要がある。したがって、セル内のユーザ機器のカバレッジ状況の概念が導入される。同じカバレッジ状況を有するユーザ機器のチャネル伝送状態は同様であり、eNodeB10はそのようなユーザ機器に対して同様のデータ処理方法を使用することができる。したがって、カバレッジ状況は特定のチャネル状態または信号状態に対応する。例えば、IoTシステムでは、ユーザ機器のカバレッジ状況は3つのタイプに分類され得、eNodeBにより近いユーザ機器のカバレッジ状況が「セントラルカバレッジ」であり、eNodeBからより遠いユーザ機器のカバレッジ状況が「ミディアムカバレッジ」であり、セルエッジまたはベースメントのようなシナリオにおけるユーザ機器のカバレッジ状況が「エッジカバレッジ」である。eNodeBは、受信機のデータ受信性能を改善するために、ユーザ機器のカバレッジ状況に基づいて、ユーザ機器に適合した伝送フォーマットを選択することができる。
【０１１０】
任意選択で、UE20がセル内のUE20のカバレッジ状況を決定することは、UE20が、eNodeB10によって送信された最後に受信したダウンリンク基準信号の電力に基づいてセル内のUE20のカバレッジ状況を決定することであってもよい。
【０１１１】
任意選択で、UE20がセル内のUE20のカバレッジ状況を決定することはまた、UE20が、UE20のカバレッジ状況を取得するために、UE20のカバレッジ状況を示すために使用されかつeNodeB10によって送信されたカバレッジ指示情報を受信することであってもよい。eNodeB10は、UE20によって送信された最後に受信したアップリンク基準信号の電力に基づいて、セル内のUE20のカバレッジ状況を決定することができる。
【０１１２】
任意選択で、ダウンリンク基準信号はダウンリンクパイロット基準信号であってもよく、アップリンク基準信号はアップリンクパイロット基準信号であってもよい。
【０１１３】
この実施形態では、セル内のUE20のカバレッジ状況は、UE20によって送信された受信アップリンク基準信号の電力に基づいてeNodeB10によって決定され得、次いで、セル内のUE20のカバレッジ状況を示すために使用される指示情報は、UE20に通知するためにUE20に送信されるか、または、UE20は、eNodeB10によって送信されたダウンリンク基準信号の電力を測定することによって、セル内のUE20のカバレッジ状況を取得することができる。例えば、UE20は、プライマリ同期信号（Primary Synchronization Signal、略して「PSS」）、セカンダリ同期信号（Secondary Synchronization Signal、略して「SSS」）、物理ブロードキャストチャネル（Physical Broadcast Channel、略して「PBCH」）、セル固有の基準信号（Cell−specific Reference Signals、略して「CRS」）などを含むセルの同期信号を測定することができる。UE20は、測定を通じてセル内のUE20の現在のカバレッジ状況を取得し、複数の伝送リソースグループからUE20のカバレッジ状況に対応するターゲットリソースグループを選択することができる。これは、本発明のこの実施形態において限定されない。
【０１１４】
S520．UE20が、複数の伝送リソースグループに関する情報を取得する。
【０１１５】
任意選択で、eNodeB10は、利用可能な伝送リソースを複数の伝送リソースグループに分類することができ、複数の伝送リソースグループは異なる伝送リソースに対応し、複数の伝送リソースグループに関する情報をUE20に送信する。
【０１１６】
例えば、プリアンブルシーケンスが例として使用され、ここでは、利用可能なプリアンブルシーケンスは複数のプリアンブルシーケンスグループ、例えば3つのグループ、に分類されてもよい。各プリアンブルシーケンスリソースグループは、ユーザ機器の1つのカバレッジ状況に対応し、各プリアンブルシーケンスリソースグループは、プリアンブルシーケンスリソースグループに対応する伝送フォーマットを有する。異なるカバレッジ状況を有するユーザ機器に対して、eNodeB10は、ユーザ機器によって送信されたデータを処理するときに異なる伝送フォーマットを使用し、例えば、データを受信するときに異なるコードブロックサイズを使用する。具体的には、毎回受信される情報ビット（bit）の最大ビット数が異なるか、またはデータ変調を行う際の変調次数が異なる。
【０１１７】
例えば、セルが全部で251個の利用可能な伝送リソース（0から250まで番号付けされた251個のプリアンブルシーケンスに対応する）を有する場合、利用可能な伝送リソースは以下のようにグループ化されてもよい。
【０１１８】
a．エッジカバレッジ：毎回受信される情報ビットは50ビットを超えず、変調次数は0であり、ポーラ符号化方式が使用される：シーケンス0〜60および211〜250。
【０１１９】
b．ミディアムカバレッジ：毎回受信される情報ビットは200ビットを超えず、変調次数は10であり、ターボ符号化方式が使用される：シーケンス61〜150。
【０１２０】
c．セントラルカバレッジ：毎回受信される情報ビットは400ビットを超えず、変調次数は15であり、CC符号化方式が使用される：シーケンス151〜210。
【０１２１】
他の例では、パイロットリソースが例として使用される。eNodeB10は、利用可能なパイロットリソースを複数のパイロットリソースグループ、例えば、ここでは3つのグループに分類する。各パイロットリソースグループは、ユーザ機器の1つのカバレッジ状況に対応し、各パイロットリソースグループは、パイロットリソースグループに対応する伝送フォーマットを有する。異なるカバレッジ状況を有するユーザ機器に対して、eNodeB10は、ユーザ機器によって送信されたデータを処理するときに異なる伝送フォーマットを使用し、例えば、データを受信するときに異なるコードブロックサイズを使用する。具体的には、毎回受信される情報ビットの最大ビット数が異なる、あるいは変調を行う際の変調次数が異なる。
【０１２２】
例えば、セルが全部で6つの利用可能な伝送リソース（0から5まで番号付けされた6つのパイロットに対応する）を有する場合、利用可能な伝送リソースは以下のようにグループ化されてもよい。
【０１２３】
a．エッジカバレッジ：毎回受信される情報ビットは50ビットを超えず、変調次数は0であり、ポーラ符号化方式が使用される：シーケンス0および5。
【０１２４】
b．ミディアムカバレッジ：毎回受信される情報ビットは200ビットを超えず、変調次数は10であり、ターボ符号化方式が使用される：シーケンス1および2。
【０１２５】
c．セントラルカバレッジ：毎回受信される情報ビットは400ビットを超えず、変調次数は15であり、CC符号化方式が使用される：シーケンス3および4。
【０１２６】
本明細書におけるユーザ機器のカバレッジ状況は、エッジカバレッジ、ミディアムカバレッジ、およびセントラルカバレッジを含む。異なるカバレッジ状況に対応する伝送フォーマットは、伝送コードブロックサイズおよびデータ変調方式を含み、伝送コードブロックは、毎回伝送される情報ビットの最大値であり、データ変調方式は、異なる変調次数を有する変調方式を含む。
【０１２７】
本明細書における伝送リソースのグループ化は、論理的な伝送リソースのグループ化、例えばパイロットリソースまたはプリアンブルシーケンスのグループ化であり得ることを理解されたい。例えば、異なるパイロットリソースは異なる伝送リソースグループに分類され、したがってユーザ機器の異なるカバレッジ状況に対応する。ただし、異なるパイロットリソースを使用するユーザ機器は同じ時間周波数リソースを占有してもよい。あるいは、伝送リソースのグループ化は、異なる周波数領域リソース、時間領域リソース、またはコード領域リソースのグループ化であってもよい。例えば、異なる周波数領域リソースは異なる伝送リソースグループに分類され、したがって異なるカバレッジ状況に対応する。このようにして、ユーザ機器は、同じパイロットリソースまたはプリアンブルシーケンスを使用し、異なる周波数帯域を使用することによってユーザ機器のカバレッジ状況を区別することができる。これは本発明において限定されない。
【０１２８】
eNodeB10は、複数の伝送リソースグループに関する情報を決定し、複数の伝送リソースグループに関する情報をUE20に送信して、その結果、UE20が複数の伝送リソースグループからターゲットリソースグループを選択することができることをさらに理解されたい。あるいは、UE20は、予め合意された複数の伝送リソースグループから、例えばプロトコルで指定された複数の予め分類された伝送リソースグループからターゲットリソースグループを自律的に選択してもよい。
【０１２９】
利用可能な伝送リソースを複数の伝送リソースグループに分類した後、eNodeB10は、複数の伝送リソースグループに関する情報をUE20に送信することができる。eNodeB10は、複数の伝送リソースグループに関する情報を1つのユーザ機器に送信してもよく、または複数の伝送リソースグループに関する情報を複数のユーザ機器に送信してもよいことを理解されたい。
【０１３０】
任意選択で、eNodeB10が複数の伝送リソースグループに関する情報をUE20に送信することは：
eNodeB10によって、ブロードキャストメッセージ内の複数の伝送リソースグループに関する情報をブロードキャストすること
を含む。
【０１３１】
具体的には、eNodeB10は、複数の伝送リソースグループに関する情報をブロードキャスト方式でUE20に送信する。このようにして、eNodeB10のカバレッジエリア内のユーザ機器は、複数の伝送リソースグループに関する情報を取得することができる。
【０１３２】
S530．UE20が、セル内のカバレッジ状況と複数の伝送リソースグループに関する情報とに基づいて、複数の伝送リソースからターゲットリソースグループを決定する。
【０１３３】
具体的には、eNodeB10によって送信された複数の伝送リソースグループに関する情報を受信した後、またはプロトコルで指定された複数の伝送リソースグループに関する情報を取得した後、UE20は、セル内のUE20のカバレッジ状況に基づいて、複数の伝送リソースグループからUE20のカバレッジ状況に対応するターゲットリソースグループを決定する。
【０１３４】
eNodeB10が複数の伝送リソースグループに関する情報をUE20に直接送信する場合、UE20は複数の伝送リソースグループに関する情報を直接受信する。eNodeB10がブロードキャストメッセージ内の複数の伝送リソースグループに関する情報をブロードキャストする場合、UE20はブロードキャストメッセージを読み取り、ブロードキャストメッセージから複数の伝送リソースグループに関する情報を取得する必要がある。
【０１３５】
複数の伝送リソースグループに関する情報を受信した後、UE20は、セル内のUE20のカバレッジ状況と複数の伝送リソースグループに関する情報とに基づいて、複数の伝送リソースグループからターゲットリソースグループを決定することができる。例えば、セル内のUE20のカバレッジ状況がエッジカバレッジである場合、UE20によって決定されたターゲットリソースグループに対応するユーザ機器のカバレッジ状況は、セル内のエッジカバレッジである。セル内のUE20のカバレッジ状況がミディアムカバレッジである場合、UE20によって決定されたターゲットリソースグループに対応するユーザ機器のカバレッジ状況は、セル内のミディアムカバレッジである。セル内のUE20のカバレッジ状況がセントラルカバレッジである場合、UE20によって決定されたターゲットリソースグループに対応するユーザ機器のカバレッジ状況は、セル内のセントラルカバレッジである。
【０１３６】
別の実施形態では、セル内のUE20の位置が絶えず移動している場合、言い換えると、セル内のUE20のカバレッジ状況が絶えず変化している場合、この場合、UE20は、複数の伝送リソースグループに関する情報およびセル内のUE20のカバレッジ状況に基づいて、複数の伝送リソースグループからUE20のカバレッジ状況に対応するターゲットリソースグループを定期的に決定し、その結果、ターゲットリソースグループ内の伝送リソースを使用することによってeNodeBにアップリンクデータを送信することができる。UE20は絶えず移動しており、UE20のカバレッジ状況は絶えず変化しているので、決定されたターゲットリソースグループは異なっていてもよい。例えば、UE20は、30分などの特定のサイクルに基づいてターゲット伝送リソースを決定するプロセスを繰り返し実行してもよい。
【０１３７】
具体的には、UE20が絶えず移動している場合、言い換えれば、移動シナリオにおいて、セル内のユーザ機器20のカバレッジ状況が時間とともに変化するため、UE20は、UE20のカバレッジ状況を決定するために周期的な決定および識別を実行し、UE20のカバレッジ状況に対応するターゲットリソースグループを決定する必要がある。しかしながら、固定シナリオでは、ユーザ機器の位置は基本的に固定されている。したがって、決定された固定のターゲットリソースグループ内の伝送リソースでデータをeNodeBに送信するように、最初のアクセス中に決定することを選択することができる。
【０１３８】
ターゲットリソースグループを決定した後に、UE20は、ターゲットリソースグループからの伝送リソースを選択または競合して、データをeNodeB10に送信することができる。
【０１３９】
例えば、プリアンブルシーケンスがグループ化された後に得られた複数の伝送リソースをeNodeB10がグループ化し、セル内のUE20のカバレッジ状況がエッジカバレッジであると仮定される場合、UE20は、グループaからシーケンスをランダムに選択し、例えば、現在のプリアンブルシーケンスとしてシーケンス50を選択し、具体的には、シーケンス50を搬送するデータをeNodeB10に送信することができる。
【０１４０】
パイロットリソースがグループ化された後に得られた複数の伝送リソースをeNodeB10がグループ化し、セル内のUE20のカバレッジ状況がエッジカバレッジであると仮定される場合、UE20は、グループaからシーケンスをランダムに選択し、例えば、現在の伝送パイロット信号のシーケンスとしてシーケンス0を選択し、具体的には、シーケンス0を搬送するデータをeNodeB10に送信することができる。
【０１４１】
UE20は、複数の伝送リソースグループから決定されたターゲットリソースグループ内の伝送リソースでデータを送信することに加えて、eNodeBの指示に基づいて、eNodeBによって示されたターゲットリソースグループ内の伝送リソースでデータをさらに送信することができる。この場合、eNodeB10は、複数の伝送リソースグループからターゲットリソースグループを決定するタスクを実行し、指示メッセージを使用することによって決定したターゲットリソースグループをUE20に通知する。
【０１４２】
図6は、本発明の一実施形態によるeNodeBによってターゲットリソースグループを決定するフローチャートである。図6に示すように、eNodeB10によってターゲットリソースグループを決定するプロセスは以下のステップを含む。
【０１４３】
S610．eNodeB10が、セル内のUE20のカバレッジ状況を決定する。
【０１４４】
UE20のカバレッジ状況はセル内のUE20の位置に関連し、セル内のUE20の位置はUE20のチャネル伝送状態に関連する。例えば、カバレッジ状況は、エッジカバレッジ、セントラルカバレッジ、ミディアムカバレッジなどを含み得る。
【０１４５】
任意選択で、eNodeB10がセル内のUE20のカバレッジ状況を決定することは、eNodeB10が、UE20によって送信された最後に受信したアップリンク基準信号の電力に基づいてUE20のカバレッジ状況を決定することであってもよい。
【０１４６】
任意選択で、eNodeB10はまた、セル内のUE20のカバレッジ状況を取得するために、UE20のカバレッジ状況を示すために使用され、UE20によって送信されるカバレッジ指示情報も受信してもよい。UE20は、eNodeB10によって送信された最後に受信したダウンリンク基準信号の電力に基づいて、セル内のUE20のカバレッジ状況を決定することができる。
【０１４７】
任意選択で、ダウンリンク基準信号はダウンリンクパイロット基準信号であってもよく、アップリンク基準信号はアップリンクパイロット基準信号であってもよい。
【０１４８】
この実施形態では、セル内のUE20のカバレッジ状況は、例えば、アップリンクパイロット基準信号の電力を測定することによって、UE20によって送信された受信アップリンク基準信号の電力に基づいてeNodeB10によって決定され得る。あるいは、セル内のUE20のカバレッジ状況は、UE20がeNodeB10によって送信されたダウンリンク基準信号の電力を測定し、次いでeNodeB10に通知するためにeNodeB10にセル内のUE20のカバレッジ状況を示すために使用された指示情報を送信した後に取得され得る。例えば、UE20は、ダウンリンクデータのパイロット基準信号を測定することができる。UE20は、UE20のカバレッジ状況をeNodeB10に通知するために、測定を通じてセル内のUE20の現在のカバレッジ状況を取得することができる。これは、本発明のこの実施形態において限定されない。
【０１４９】
S620．eNodeB10が、複数の伝送リソースグループに関する情報を取得する。
【０１５０】
任意選択で、eNodeB10は、利用可能な伝送リソースを複数の伝送リソースグループに分類し、複数の伝送リソースグループは異なる伝送リソースに対応し、複数の伝送リソースグループに関する情報をUE20に送信する。
【０１５１】
例えば、周波数領域リソースが例として使用される。eNodeB10は、利用可能な周波数領域リソースを複数の周波数領域リソースグループ、例えば、ここでは3つのグループに分類することができる。各周波数領域リソースグループは、ユーザ機器の1つのカバレッジ状況に対応し、各周波数領域リソースグループは、周波数領域リソースグループに対応する伝送フォーマットを有する。異なるカバレッジ状況を有するユーザ機器に対して、eNodeB10は、ユーザ機器によって送信されたデータを処理するときに異なる伝送フォーマットを使用し、例えば、データを受信するときに異なるコードブロックサイズを使用する。具体的には、毎回受信される情報ビット（bit）の最大ビット数が異なるか、またはデータ変調を行う際の変調次数が異なる。
【０１５２】
例えば、セル内のユーザ機器によってアップリンクデータ伝送を実行するために使用することができる周波数帯域が1000MHz〜2500MHzの周波数を含む場合、周波数は以下のようにグループ化されてもよい：
【０１５３】
a．エッジカバレッジ：毎回受信される情報ビットは50ビットを超えず、変調次数は0であり、ポーラ符号化方式が使用される：周波数1000MHz〜1500MHz。
【０１５４】
b．ミディアムカバレッジ：毎回受信される情報ビットは200ビットを超えず、変調次数は10であり、ターボ符号化方式が使用される：周波数1500MHz〜2000MHz。
【０１５５】
c．セントラルカバレッジ：毎回受信される情報ビットは400ビットを超えず、変調次数は15であり、CC符号化方式が使用される：周波数2000MHz〜2500MHz。
【０１５６】
他の例では、時間領域リソースが例として使用される。eNodeB10は、利用可能な時間領域リソースを複数の時間領域リソースグループ、例えば、ここでは3つのグループに分類する。各時間領域リソースグループは、ユーザ機器の1つのカバレッジ状況に対応し、各時間領域リソースグループは、時間領域リソースグループに対応する伝送フォーマットを有する。異なるカバレッジ状況を有するユーザ機器に対して、eNodeB10は、ユーザ機器によって送信されたデータを処理するときに異なる伝送フォーマットを使用し、例えば、データを受信するときに異なるコードブロックサイズを使用する。具体的には、毎回受信される情報ビットの最大ビット数が異なり、データ変調を行う際の変調次数が異なる。
【０１５７】
例えば、ユーザ機器がアップリンクデータ伝送を実行するとき、異なるカバレッジ状況を有するユーザ機器は、データを伝送するために異なるサブフレームを使用してもよく、サブフレームは以下のようにグループ化されてもよい：
【０１５８】
a．エッジカバレッジ：毎回受信される情報ビットは50ビットを超えず、変調次数は0であり、ポーラ符号化方式が使用される：サブフレーム0〜サブフレーム3。
【０１５９】
b．ミディアムカバレッジ：毎回受信される情報ビットは200ビットを超えず、変調次数は10であり、ターボ符号化方式が使用される：サブフレーム4〜サブフレーム6。
【０１６０】
c．セントラルカバレッジ：毎回受信される情報ビットは400ビットを超えず、変調次数は15であり、CC符号化方式が使用される：サブフレーム7〜サブフレーム10。
【０１６１】
本明細書におけるユーザ機器のカバレッジ状況は、エッジカバレッジ、ミディアムカバレッジ、およびセントラルカバレッジを含む。異なるカバレッジ状況に対応する伝送フォーマットは、伝送コードブロックサイズおよびデータ変調方式を含み、伝送コードブロックは、毎回伝送される情報ビットの最大値であり、データ変調方式は、異なる変調次数を有する変調方式を含む。
【０１６２】
eNodeB10は、利用可能な伝送リソースを複数の伝送リソースグループに分類した後、複数の伝送リソースグループに関する情報をUE20に送信する。eNodeB10は、複数の伝送リソースグループに関する情報を1つのユーザ機器に送信してもよく、または複数の伝送リソースグループに関する情報を複数のユーザ機器に送信してもよいことを理解されたい。
【０１６３】
なお、eNodeB10は、利用可能な伝送リソースを複数の伝送リソースグループに自律的に分類してもよく、または予め合意された複数の伝送リソースグループに関する情報、例えばプロトコルで指定された複数の事前に分類された伝送リソースグループに関する情報を直接取得してもよい。
【０１６４】
任意選択で、eNodeB10が複数の伝送リソースグループに関する情報をUE20に送信することは：
eNodeB10によって、ブロードキャストメッセージ内の複数の伝送リソースグループに関する情報をブロードキャストすること
を含む。
【０１６５】
具体的には、eNodeB10は、複数の伝送リソースグループに関する情報をブロードキャスト方式でUE20に送信する。このようにして、eNodeB10のカバレッジエリア内のユーザ機器は、複数の伝送リソースグループに関する情報を取得することができる。
【０１６６】
S630．eNodeB10が、セル内のUE20のカバレッジ状況と複数の伝送リソースグループに関する情報とに基づいて、複数の伝送リソースからターゲットリソースグループを決定する。
【０１６７】
具体的には、eNodeB10がプロトコルで指定された複数の伝送リソースグループに関する情報を取得した後、またはeNodeB10が利用可能な伝送リソースをグループ化した後、eNodeB10は、セル内のUE20のカバレッジ状況および複数の伝送リソースグループに関する情報に基づいて、複数の伝送リソースグループからUE20のためのターゲットリソースグループを決定することができる。
【０１６８】
例えば、セル内のUE20のカバレッジ状況がエッジカバレッジである場合、この場合、eNodeB10によってUE20について決定されたターゲットリソースグループに対応するユーザ機器のカバレッジ状況は、セル内のエッジカバレッジである。セル内のUE20のカバレッジ状況がミディアムカバレッジである場合、この場合、eNodeB10によってUE20について決定されたターゲットリソースグループに対応するユーザ機器のカバレッジ状況は、セル内のミディアムカバレッジである。セル内のUE20のカバレッジ状況がセントラルカバレッジである場合、この場合、eNodeB10によってUE20について決定されたターゲットリソースグループに対応するユーザ機器のカバレッジ状況は、セル内のセントラルカバレッジである。
【０１６９】
別の実施形態では、セル内のUE20の位置が絶えず移動している場合、言い換えると、セル内のUE20のカバレッジ状況が絶えず変化している場合、この場合、eNodeB10は、複数の伝送リソースグループに関する情報およびセル内のUE20のカバレッジ状況に基づいて、複数の伝送リソースグループからUE20のカバレッジ状況に対応するターゲットリソースグループを定期的に決定し、その結果、UE20に、ターゲットリソースグループ内の伝送リソースを使用してアップリンクデータを送信するように指示することができる。UE20は絶えず移動しており、UE20のカバレッジ状況は絶えず変化しているので、決定されたターゲットリソースグループは異なっていてもよい。例えば、eNodeB10は、30分などの特定のサイクルに基づいてターゲット伝送リソースを決定するプロセスを繰り返し実行してもよい。
【０１７０】
eNodeB10がターゲットリソースグループを決定した後、UE20は、データをeNodeB10に送信するためにターゲットリソースグループからの伝送リソースを選択または競合することができる。
【０１７１】
例えば、eNodeB10が、周波数領域リソースをグループ化した後に得られた複数の伝送リソースをグループ化し、セル内のUE20のカバレッジ状況がエッジカバレッジであると仮定される場合、eNodeB10は、現在伝送されているデータによって使用される周波数領域リソースとして、例えば1000MHz〜1200MHzの周波数リソースをグループaからランダムに選択するように、UE20に指示することができる。具体的には、UE20は、1000MHz〜1200MHzの周波数領域リソースでデータをeNodeB10に送信する。
【０１７２】
eNodeB10が、時間領域リソースをグループ化した後に得られた複数の伝送リソースをグループ化し、セル内のUE20のカバレッジ状況がエッジカバレッジであると仮定される場合、eNodeB10は、シーケンスをグループaからランダムに選択する、例えば、現在伝送されているデータのサブフレームとしてサブフレーム0を選択するように、UE20に指示することができる。具体的には、UE20は、サブフレーム0上でeNodeB10にデータを送信する。
【０１７３】
現在のスケジューリングフリー伝送方式では、eNodeB10は、ユーザ機器によって送信されたデータについてセル内のユーザ機器のカバレッジ状況に基づいて、データを受信および処理するために、ユーザ機器と適合する伝送フォーマットを適応的に使用することができないため、eNodeBの受信性能が影響を受ける。
【０１７４】
本発明のこの実施形態で提供されるデータ伝送方法によれば、ユーザ機器は、セル内のユーザ機器のカバレッジ状況に基づいて、複数の伝送リソースグループからターゲットリソースグループを選択して、eNodeBにデータを送信し、その結果、eNodeBは、ユーザ機器がデータを送信するときに使用される伝送リソースの伝送リソースグループに基づいて、ユーザ機器によって送信されたデータを処理するためにユーザ機器に適切な伝送フォーマットを設定することができ、eNodeBが、その結果、ユーザ機器のカバレッジ状況に対して、スケジューリングフリー伝送プロセスにおいてユーザ機器によって送信されたデータを柔軟に処理することができないという問題を解決する。
【０１７５】
ユーザ機器がデータを送信するときに使用されるターゲットリソースグループを決定した後、eNodeB10は、UE20のためのターゲットリソースグループに対応する変調および符号化方式を設定してもよいし、UE20のためのターゲットリソースグループに対応する伝送コードブロックサイズを設定してもよいし、UE20のためのターゲットリソースグループに対応する変調および符号化方式とターゲットリソースグループに対応する伝送コードブロックサイズの両方を設定してもよいし、または、例えば異なるデータ復調方式を使用する、UE20のためのターゲットリソースグループに対応する他の伝送フォーマットを設定してもよい。これは本発明において限定されない。
【０１７６】
セル内のUE20のカバレッジ状況がエッジカバレッジである場合、UE20は、TTIバンドリング方式でeNodeB10にアップリンクデータを送信することができ、eNodeB10は、ジョイント復調および受信の方法で、このバンドルされたTTIで受信したデータを処理することができる。
【０１７７】
図7は、本発明の一実施形態による、TTIバンドリング伝送方式でエッジカバレッジのユーザ機器によって実行されるデータ伝送の概略図である。図3および図4の本発明の実施形態で説明されるスケジューリングフリー伝送プロセスによれば、eNodeB10は、UE20がデータを送信するときに使用されるターゲットリソースグループに基づいて、UE20のための伝送リソースに適合するデータ処理方法を選択する。セル内のUE20のカバレッジ状況がエッジカバレッジである場合、UE20はTTIバンドリング方式でデータをeNodeB10に送信することができ、eNodeB10はTTIバンドリング方式でUE20によって送信されたアップリンクデータを受信し、複数のバンドルされたTTIでUE20によって送信されたデータに対してジョイントの受信および復調を実行してもよく、例えば、複数のバンドルされたTTIでUE20によって送信されたデータに対してHARQ合成処理を実行してもよい。
【０１７８】
任意選択で、セル内のUE20のカバレッジ状況がエッジカバレッジであるときに、ターゲットリソースグループが対応する伝送リソースグループである場合、方法は：
UE20によって、複数のバンドルされた伝送時間間隔TTIでeNodeB10にデータを送信するステップであって、データを送信するための開始TTIは、ターゲットリソースグループ内の別の伝送リソースを個別に使用する他のUEによって複数のバンドルされたTTIでデータを送信するための開始TTIと同じである、ステップ
をさらに含む。
【０１７９】
eNodeB10は、複数のバンドルされたTTIでUE20によって送信されたデータを受信した後、複数のバンドルされたTTIの各々でUE20によって送信された受信データに対してHARQ合成処理をさらに実行することができる。
【０１８０】
具体的には、特に高いカバレッジ要件を有するアプリケーションシナリオにおいて、ユーザ機器のデータ受信および処理性能をさらに改善するために、セル内のUE20のカバレッジ状況が現在エッジカバレッジである場合、TTIバンドリングの繰り返し送信方式がシステムのカバレッジ能力をさらに向上させるためにも選択されてもよい。従来のLTEプロトコルにおけるTTIバンドリングとは異なり、本発明のこの実施形態では、TTIバンドリングの送信時間を制限する必要がある。具体的には、TTIバンドリング方式でデータを送信する複数のユーザ機器によって複数のバンドルされたTTIでデータの送信を開始するためのタイムスロットを調整する必要がある。言い換えれば、エッジカバレッジの複数のユーザ機器によってeNodeB10にデータを送信するための開始TTIは同じである。しかしながら、複数のバンドルされたTTIで、他の一般のユーザは依然として通常の方法でデータを送信することができる。具体的には、ターゲットリソースグループ内の複数の伝送リソースを別々に使用する複数のUEによって複数のバンドルされたTTIでデータを送信するための開始TTIは同じであるべきであり、複数のUEはUE20を含んでもよい。
【０１８１】
図7に示すように、エッジカバレッジのユーザ機器UE20がTTIバンドリング方式で複数のバンドルされたTTIでeNodeB10にデータを送信するとき、TTIバンドリング方式でデータを送信するエッジカバレッジの他のユーザ機器、例えば、UE30はまた、複数のバンドルされたTTIでeNodeBにデータを送信する。この場合、UE20およびUE30によってデータを送信するための開始TTIは一貫している必要がある。しかしながら、ミディアムカバレッジの他のユーザ機器、およびセントラルカバレッジのユーザ機器、例えばUE40は、TTIでランダムにデータを送信してもよい。図8は、TTIバンドリングを使用するユーザ機器のデータ伝送時間が同期していないときに生じる干渉の概略図である。一例としてパイロットリソースが使用される。UE20およびUE30によってバンドルされたTTIでデータを送信するための開始TTIが異なる場合、スケジューリングフリーシナリオにおいてユーザ機器が競合ベースの伝送方法を使用するため、エッジカバレッジに対応するターゲットリソースグループからUE20およびUE30によってランダムに選択されたパイロットリソースが対立する場合、eNodeB10が受信データを識別することは困難であり、ユーザ機器間の干渉は避けられない。しかしながら、バンドルされたTTIでデータを送信するときにUE20とUE30とが同期している場合、このようにして、複数のバンドルされた連続TTIにおけるユーザ機器のデータは一意であることが制限される。UE20およびUE30によって同時に送信されたデータを受信した後、eNodeB10が、UE20およびUE30が同じパイロットリソースを占有していることを発見した場合、eNodeB10は、一方のユーザ機器によって送信されたデータを選択的に受信し、他方のユーザ機器によって送信されたデータを破棄することができる。競合によってパイロットリソースを取得するユーザ機器が複数のバンドルされたTTIでデータを送信するとき、ユーザ機器は他のユーザ機器によって送信されたデータによって干渉されない。
【０１８２】
なお、エッジカバレッジのユーザ機器がデータを送信するためにTTIバンドリング方式を選択する場合、複数のバンドルされたTTIは時間連続TTIを含んでもよく、また、例えばアップリンク伝送用のTTIだけがバンドルされた時間不連続TTIを含んでもよい。これは主に、システム内のアップリンクサブフレームとダウンリンクサブフレームとの構成比に依存する。任意選択で、本発明のこの実施形態では、TTIバンドリングのパターンは、サブフレーム構成に基づいて事前に合意された方法を使用することによって決定されてもよい。具体的には、図9を参照すると、図9は、本発明の実施形態による連続したサブフレームにおけるTTIバンドリングの概略図である。UE20は、データを送信するために使用されるTTIとして連続TTIをバンドルしてもよく、または図10に示される不連続な方法でTTIをバンドルしてもよい。図9のUE20がバンドルされたTTIでデータを送信するとき、バンドルされたTTIは特定の間隔で連続している。
【０１８３】
さらに、UE20がTTIバンドリング方式でeNodeB10にデータを送信する場合、対応するバンドルされたTTIで、eNodeB10は各TTIで受信されたデータに対してジョイント復調および受信を実施することができる。例えば、図9および図10を参照すると、UE20によって送信されたデータは、HARQ合成および受信方式で合成され、復調および復号が、低次かつ低符号化率の変調および符号化方式を使用することによって合成されたデータに対して実行される。
【０１８４】
本発明のこの実施形態におけるTTIバンドリング方式でデータを伝送するための方法は、独立して実行されてもよいことを理解されたい。具体的には、eNodeB10は、ユーザ機器によって使用される伝送リソースと適合する伝送フォーマットを伝送リソースグループ方式で決定することはできないが、UE20のカバレッジ状況がエッジカバレッジであることを知ると、UE20は、ランダムに選択され競合する伝送リソース上のTTIバンドリング方式でのエッジカバレッジの他のユーザ機器と同じ開始TTIでeNodeB10にデータを直接送信する。eNodeB10は、一方のユーザ機器によって送信されたデータを選択的に受信し、他方のユーザ機器によって送信されたデータを破棄する。競合によってパイロットリソースを取得するユーザ機器が複数のバンドルされたTTIでデータを送信するとき、ユーザ機器は他のユーザ機器によって送信されたデータによって干渉されない。
【０１８５】
従来のTTIバンドリング伝送方法はeNodeB10スケジューリングに基づいているので、eNodeB10の受信側はスケジューリングを通じて事前に決定され得る。しかしながら、スケジューリングフリーシナリオでは、eNodeB10の受信側は前述の情報を取得することができない。それがフルトラバーサルシナリオに基づいて実施される場合、受信機の複雑さは急激に増大する。したがって、フルトラバーサルシナリオは通常使用されない。
【０１８６】
さらに、スケジューリングフリー伝送方式では、物理層は、パイロットシーケンスまたはプリアンブルシーケンスのみを使用することによって現在のTTIのユーザ機器を区別することができるが、ユーザ機器のアイデンティティを完全に識別することはできず、ユーザ機器のIDは通常、データパケットヘッダで搬送され、データリンク層によってのみ解析され得る。したがって、物理層はユーザ機器の履歴データを維持することができない。復調エラーを伴うデータパケットの場合、物理層とデータリンク層の両方は、データパケットのユーザ機器IDを確認することができない。したがって、従来のハイブリッド自動再送要求HARQの合成および受信技術は、前述のシナリオでは使用が困難である。これは、エッジカバレッジのユーザ機器によって送信されたデータの受信および処理性能に直接影響を及ぼす。
【０１８７】
しかしながら、本発明のこの実施形態におけるデータ伝送方法では、TTIバンドリング方式でのユーザ機器のデータ伝送時間を制限して、バンドルされたTTIにおけるユーザデータが一意であることを保証するため、スケジューリングフリー伝送プロセスでは、TTIバンドリング方式を使用してデータを伝送することはできず、HARQ合成技術を使用することはできないという問題を解決する。
【０１８８】
前述のプロセスのシーケンス番号は実行シーケンスを意味しないことを理解されたい。プロセスの実行シーケンスは、プロセスの機能や内部ロジックに応じて決定されるべきであり、本発明の実施形態の実装プロセスの制限として解釈されるべきではない。
【０１８９】
以上、図1〜図10を参照して、本発明の一実施形態によるデータ伝送方法について詳細に説明した。以下、図11〜図14を参照して、本発明の実施形態によるデータ伝送のためのユーザ機器および基地局について詳細に説明する。
【０１９０】
図11は、本発明の一実施形態によるユーザ機器の構造ブロック図である。図11に示すユーザ機器1100は、図2の方法の実施形態においてユーザ機器20によって実施されるプロセスを実行するように構成され得る。ユーザ機器は、ユーザ機器のための基地局のスケジューリングフリーシナリオに適用される。図11に示すユーザ機器1100は、決定モジュール1110と送信モジュール1120とを含む。
【０１９１】
決定モジュール1110は、複数の伝送リソースグループからターゲットリソースグループを決定するように構成される。
【０１９２】
送信モジュール1120は、決定モジュール1110によって決定されたターゲットリソースグループ内の伝送リソースを使用することによって基地局にデータを送信するように構成され、その結果、基地局はターゲットリソースグループに対応する伝送フォーマットを使用してデータに対してデータ処理を実行する。
【０１９３】
したがって、スケジューリングフリー伝送プロセスにおいて、ユーザ機器は、複数の伝送リソースグループからターゲット伝送リソースグループ内の伝送リソースを選択して、データを基地局に送信し、その結果、基地局は、ユーザ機器のカバレッジ状況に対して、ユーザ機器によって送信されたデータを処理するために、ユーザ機器のための適切な伝送フォーマットを柔軟に設定することができる。
【０１９４】
任意選択で、別の実施形態では、決定モジュール1110は：
セル内のUEのカバレッジ状況を決定するように構成された第1の決定サブユニット1111であって、カバレッジ状況は、セル内のUEの位置に関連し、セル内のUEの位置は、UEのチャネル伝送状態に関連する、第1の決定サブユニット1111と、
複数の伝送リソースグループに関する情報を取得するように構成された取得ユニット1112であって、複数の伝送リソースグループは、異なる伝送リソースに対応する、取得ユニット1112と、
複数の伝送リソースグループに関する情報およびUEのカバレッジ状況に基づいて、複数の伝送リソースグループからUEのカバレッジ状況に対応するターゲットリソースグループを決定するように構成された第2の決定サブユニット1113と
を含む。
【０１９５】
任意選択で、別の実施形態では、第1の決定サブユニット1111は：
UEのカバレッジ状況を示すために使用され、基地局によって送信されるカバレッジ指示情報を受信する
ように具体的に構成される。
【０１９６】
任意選択で、別の実施形態では、第1の決定サブユニット1111は：
基地局によって送信された最後に受信したダウンリンク基準信号の電力に基づいて、UEのカバレッジ状況を決定する
ように具体的に構成される。
【０１９７】
任意選択で、別の実施形態では、取得ユニット1112は：
基地局によって送信された複数の伝送リソースグループに関する情報を受信する
ように具体的に構成される。
【０１９８】
任意選択で、別の実施形態では、基地局は：
ターゲットリソースグループを示すために使用され、基地局によって送信されるリソース指示情報を受信するように構成された受信モジュール1130
をさらに含む。
【０１９９】
任意選択で、別の実施形態では、決定モジュール1110が複数の伝送リソースグループからターゲットリソースグループを決定する前に、決定モジュール1110は：
基地局によって送信された最後に受信したダウンリンク基準信号の電力に基づいてUEのカバレッジ状況を決定するようにさらに構成され、
送信モジュール1120は、UEのカバレッジ状況を示すために使用されるカバレッジ指示情報を基地局に送信するようにさらに構成される。
【０２００】
任意選択で、別の実施形態では、セル内のUEのカバレッジ状況がエッジカバレッジであるときに、UEによって決定されたターゲットリソースグループが対応する伝送リソースグループである場合、送信モジュール1120は：
複数のバンドルされた伝送時間間隔TTIで基地局にデータを送信し、データを送信するための開始TTIは、ターゲットリソースグループ内の別の伝送リソースを個別に使用する他のUEによって複数のバンドルされたTTIでデータを送信するための開始TTIと同じである
ようにさらに構成される。
【０２０１】
任意選択で、複数のバンドルされたTTIは、連続TTIまたは不連続TTIを含む。
【０２０２】
任意選択で、伝送リソースは、プリアンブルシーケンス、パイロットリソース、時間領域リソース、周波数リソース、コードワードリソース、およびビームリソースのうちの少なくとも1つを含む。
【０２０３】
任意選択で、伝送フォーマットは、伝送コードブロックサイズ、データ変調次数、およびデータ符号化方式のうちの少なくとも1つを含む。
【０２０４】
図12は、本発明の一実施形態による基地局の構造ブロック図である。図12に示す基地局1100は、図3の方法の実施形態においてeNodeB10によって実施されるプロセスを実行するように構成され得る。図12に示す基地局1200は、受信モジュール1210と処理モジュール1220を含む。
【０２０５】
受信モジュール1210は、ターゲットリソースグループ内の伝送リソースで、UEによって送信されたデータを受信するように構成される。
【０２０６】
処理モジュール1220は、ターゲットリソースグループに対応する伝送フォーマットを使用することによって、受信モジュール1210によって受信されたデータに対してデータ処理を実行するように構成される。
【０２０７】
したがって、基地局は、ユーザ機器がデータを送信するときに使用される伝送リソースのターゲット伝送リソースグループに基づいて、ユーザ機器によって送信されたデータを処理するためにユーザ機器に適切な伝送フォーマットを設定し、その結果、基地局は、スケジューリングフリー伝送プロセスにおいてユーザ機器のカバレッジ状況に対して、ユーザ機器によって送信されたデータを柔軟に処理することができる。
【０２０８】
任意選択で、別の実施形態では、受信モジュール1210がターゲットリソースグループ内の伝送リソース上でUEによって送信されたデータを受信する前に、基地局は：
セル内のUEのカバレッジ状況を決定するように構成された決定モジュール1230であって、カバレッジ状況は、セル内のUEの位置に関連し、セル内のUEの位置は、UEのチャネル伝送状態に関連する、決定モジュール1230
をさらに含む。
【０２０９】
決定モジュール1230は：
複数の伝送リソースグループに関する情報を決定し、複数の伝送リソースグループは異なる伝送リソースに対応し、
複数の伝送リソースグループに関する情報およびUEのカバレッジ状況に基づいて、複数の伝送リソースグループからUEのカバレッジ状況に対応するターゲットリソースグループを決定する
ようにさらに構成される。
【０２１０】
第1の送信モジュール1240は、決定モジュールによって決定されたターゲットリソースグループを示すために使用されるリソース指示情報をUEに送信するように構成される。
【０２１１】
任意選択で、別の実施形態では、決定モジュール1230は：
UEによって送信された最後に受信したアップリンク基準信号の電力に基づいて、セル内のUEのカバレッジ状況を決定する
ように具体的に構成される。
【０２１２】
任意選択で、別の実施形態では、決定モジュール1230は：
UEのカバレッジ状況を示すために使用され、UEによって送信されるカバレッジ指示情報を受信する
ように具体的に構成される。
【０２１３】
任意選択で、別の実施形態では、決定モジュール1230は：
利用可能な伝送リソースを複数の伝送リソースグループに分類するように構成されたグループ化ユニット
を含む。
【０２１４】
任意選択で、別の実施形態では、受信モジュール1210がターゲットリソースグループ内の伝送リソースでUEによって送信されたデータを受信する前に、基地局は：
利用可能な伝送リソースを複数の伝送リソースグループに分類するように構成されたグループ化モジュール1250であって、複数の伝送リソースグループは異なる伝送リソースに対応し、複数の伝送リソースグループはターゲットリソースグループを含む、グループ化モジュール1250と、
UEが複数の伝送リソースグループからターゲットリソースグループを決定するように、複数の伝送リソースグループに関する情報をUEに送信するように構成された第2の送信モジュール1260と
をさらに含む。
【０２１５】
任意選択で、別の実施形態では、セル内のUEのカバレッジ状況がエッジカバレッジであるときに、ターゲットリソースグループが対応する伝送リソースグループである場合、受信モジュール1210は：
複数のバンドルされた伝送時間間隔TTIでUEによって送信されたデータを受信し、データを送信するための開始TTIは、ターゲットリソースグループ内の別の伝送リソースを個別に使用する他のUEによって複数のバンドルされたTTIでデータを送信するための開始TTIと同じである
ように具体的に構成される。
【０２１６】
任意選択で、別の実施形態では、処理モジュール1120は：
複数のバンドルされたTTIの各々でUEによって送信された受信データに対してハイブリッド自動再送要求HARQ合成処理を実行する
ように具体的に構成される。
【０２１７】
任意選択で、別の実施形態では、複数のバンドルされたTTIは連続TTIまたは不連続TTIを含む。
【０２１８】
任意選択で、別の実施形態では、伝送リソースは、プリアンブルシーケンス、パイロットリソース、時間領域リソース、周波数リソース、コードワードリソース、およびビームリソースのうちの少なくとも1つを含む。
【０２１９】
任意選択で、別の実施形態では、伝送フォーマットは、伝送コードブロックサイズ、データ変調次数、およびデータ符号化方式のうちの少なくとも1つを含む。
【０２２０】
図13は、本発明の一実施形態によるユーザ機器を示している。ユーザ機器1200は、プロセッサ1310、送信機1320、受信機1330、メモリ1340、およびバスシステム1350を含む。プロセッサ1310、送信機1320、受信機1330、およびメモリ1340は、バスシステム1350を使用することによって相互接続される。メモリ1340は命令を格納するように構成される。プロセッサ1310は、信号を送信するように送信機1320を制御し、信号を受信するように受信機1330を制御するように、メモリ1340に格納された命令を実行するように構成される。受信機1330および送信機1320はまとめてトランシーバと呼ばれることがある。プロセッサ1310、送信機1320、受信機1330、メモリ1340、およびバスシステム1350は、1つまたは複数のチップを使用することによって実装され得る。例えば、プロセッサ1310、送信機1320、受信機1330、メモリ1340、およびバスシステム1350は、1つのチップに完全に統合されてもよく、またはプロセッサ1310、送信機1320、受信機1330、およびバスシステム1350は1つのチップに統合され、メモリ1340は他のチップに統合されてもよい。特定の形態は本明細書に限定されない。プロセッサ1310は：
複数の伝送リソースグループからターゲットリソースグループを決定する
ように具体的に構成される。
【０２２１】
送信機1320は、決定モジュールによって決定されたターゲットリソースグループ内の伝送リソースを使用することによって基地局にデータを送信するように構成され、その結果、基地局はターゲットリソースグループに対応する伝送フォーマットを使用してデータに対してデータ処理を実行する。
【０２２２】
ユーザ機器は具体的には、前述の実施形態のユーザ機器20であってもよく、前述の方法の実施形態のユーザ機器20に対応するステップおよび／または手順を実行するように構成されてもよいことを理解されたい。任意選択で、メモリ1340は、読み出し専用メモリおよびランダムアクセスメモリを含み、プロセッサ1310に命令とデータを提供することができる。メモリ1340の一部は、不揮発性ランダムアクセスメモリをさらに含むことができる。例えば、メモリ1340は、デバイスタイプに関する情報をさらに格納することができる。プロセッサ1310は、メモリ1340に格納された命令を実行するように構成され得る。プロセッサ1310がメモリ1340に格納された命令を実行すると、プロセッサ1310は、前述の方法の実施形態におけるステップおよび／または手順を実行するように構成される。
【０２２３】
任意選択で、別の実施形態では、プロセッサ1310は：
セル内のUEのカバレッジ状況を決定し、カバレッジ状況は、セル内のUEの位置に関連し、セル内のUEの位置は、UEのチャネル伝送状態に関連し、
複数の伝送リソースグループに関する情報を取得し、複数の伝送リソースグループは、異なる伝送リソースに対応し、
複数の伝送リソースグループに関する情報およびUEのカバレッジ状況に基づいて、複数の伝送リソースグループからUEのカバレッジ状況に対応するターゲットリソースグループを決定する
ように具体的に構成される。
【０２２４】
任意選択で、別の実施形態では、プロセッサ1310：
UEのカバレッジ状況を示すために使用され、基地局によって送信されるカバレッジ指示情報を受信する
ように具体的に構成される。
【０２２５】
任意選択で、別の実施形態では、プロセッサ1310は：
基地局によって送信された最後に受信したダウンリンク基準信号の電力に基づいて、UEのカバレッジ状況を決定する
ように具体的に構成される。
【０２２６】
任意選択で、別の実施形態では、プロセッサ1310は：
基地局によって送信された複数の伝送リソースグループに関する情報を受信する
ように具体的に構成される。
【０２２７】
任意選択で、別の実施形態では、受信機1330は：
ターゲットリソースグループを示すために使用され、基地局によって送信されるリソース指示情報を受信する
ように具体的に構成される。
【０２２８】
任意選択で、別の実施形態では、プロセッサ1310が複数の伝送リソースグループからターゲットリソースグループを決定する前に、プロセッサ1310は：
基地局によって送信された最後に受信したダウンリンク基準信号の電力に基づいてUEのカバレッジ状況を決定するようにさらに構成され、
送信機1320は、UEのカバレッジ状況を示すために使用されるカバレッジ指示情報を基地局に送信するようにさらに構成される。
【０２２９】
任意選択で、別の実施形態では、セル内のUEのカバレッジ状況がエッジカバレッジであるときに、UEによって決定されたターゲットリソースグループが対応する伝送リソースグループである場合、送信機1320は：
複数のバンドルされた伝送時間間隔TTIで基地局にデータを送信し、データを送信するための開始TTIは、ターゲットリソースグループ内の別の伝送リソースを個別に使用する他のUEによって複数のバンドルされたTTIでデータを送信するための開始TTIと同じである
ようにさらに構成される。
【０２３０】
任意選択で、複数のバンドルされたTTIは、連続TTIまたは不連続TTIを含む。
【０２３１】
任意選択で、伝送リソースは、プリアンブルシーケンス、パイロットリソース、時間領域リソース、周波数リソース、コードワードリソース、およびビームリソースのうちの少なくとも1つを含む。
【０２３２】
任意選択で、伝送フォーマットは、伝送コードブロックサイズ、データ変調次数、およびデータ符号化方式のうちの少なくとも1つを含む。
【０２３３】
図14は、本発明の実施形態による基地局を示している。基地局1300は、プロセッサ1313、送信機1420、受信機1430、メモリ1440、およびバスシステム1450を含む。プロセッサ1414、送信機1420、受信機1430、およびメモリ1440は、バスシステム1450を使用することによって相互接続される。メモリ1440は命令を格納するように構成される。プロセッサ1414は、信号を送信するように送信機1420を制御し、信号を受信するように受信機1430を制御するように、メモリ1440に格納された命令を実行するように構成される。プロセッサ1414、送信機1420、受信機1430、メモリ1440、およびバスシステム1450は、1つまたは複数のチップを使用することによって実装され得る。例えば、プロセッサ1414、送信機1420、受信機1430、メモリ1440、およびバスシステム1450は、1つのチップに完全に統合されてもよく、またはプロセッサ1414、送信機1420、受信機1430、およびバスシステム1450は1つのチップに統合され、メモリ1440は他のチップに統合されてもよい。特定の形態は本明細書に限定されない。受信機1430は：
ターゲットリソースグループ内の伝送リソースで、UEによって送信されたデータを受信する
ように具体的に構成される。
【０２３４】
プロセッサ1410は、ターゲットリソースグループに対応する伝送フォーマットを使用することによってデータに対してデータ処理を実行するように構成される。
【０２３５】
基地局は具体的には、前述の実施形態のeNodeB10であってもよく、前述の方法実施形態のeNodeB10に対応するステップおよび／または手順を実行するように構成されてもよいことを理解されたい。任意選択で、メモリ1440は、読み出し専用メモリおよびランダムアクセスメモリを含み、プロセッサ1413に命令とデータを提供することができる。メモリ1440の一部は、不揮発性ランダムアクセスメモリをさらに含むことができる。例えば、メモリ1440はデバイスタイプに関する情報をさらに格納することができる。プロセッサ1413は、メモリ1440に格納された命令を実行するように構成され得る。プロセッサ1413がメモリ1440に格納された命令を実行すると、プロセッサ1413は、前述の方法の実施形態におけるステップおよび／または手順を実行するように構成される。
【０２３６】
任意選択で、別の実施形態では、受信機1430がターゲットリソースグループ内の伝送リソースでUEによって送信されたデータを受信する前に、プロセッサ1413は：
セル内のUEのカバレッジ状況を決定し、カバレッジ状況は、セル内のUEの位置に関連し、セル内のUEの位置は、UEのチャネル伝送状態に関連し、
複数の伝送リソースグループに関する情報を決定し、複数の伝送リソースグループは、異なる伝送リソースに対応し、
複数の伝送リソースグループに関する情報およびUEのカバレッジ状況に基づいて、複数の伝送リソースグループからUEのカバレッジ状況に対応するターゲットリソースグループを決定する
ようにさらに構成される。
【０２３７】
送信機1420は、決定モジュールによって決定されたターゲットリソースグループを示すために使用されるリソース指示情報をUEに送信するように構成される。
【０２３８】
任意選択で、別の実施形態では、プロセッサ1413は：
UEによって送信された最後に受信したアップリンク基準信号の電力に基づいて、セル内のUEのカバレッジ状況を決定する
ように具体的に構成される。
【０２３９】
任意選択で、別の実施形態では、受信機1430：
UEのカバレッジ状況を示すために使用され、UEによって送信されるカバレッジ指示情報を受信する
ようにさらに構成される。
【０２４０】
任意選択で、別の実施形態では、プロセッサ1413は：
利用可能な伝送リソースを複数の伝送リソースグループに分類する
ように具体的に構成される。
【０２４１】
任意選択で、別の実施形態では、受信機1430がターゲットリソースグループ内の伝送リソースでUEによって送信されたデータを受信する前に、プロセッサ1413は：
利用可能な伝送リソースを複数の伝送リソースグループに分類し、複数の伝送リソースグループは異なる伝送リソースに対応し、複数の伝送リソースグループはターゲットリソースグループを含む
ようにさらに構成される。
【０２４２】
送信機1420は、UEが複数の伝送リソースグループからターゲットリソースグループを決定するように、複数の伝送リソースグループに関する情報をUEに送信するように構成される。
【０２４３】
任意選択で、別の実施形態では、セル内のUEのカバレッジ状況がエッジカバレッジであるときに、ターゲットリソースグループが対応する伝送リソースグループである場合、受信機1430は：
複数のバンドルされた伝送時間間隔TTIでUEによって送信されたデータを受信し、データを送信するための開始TTIは、ターゲットリソースグループ内の別の伝送リソースを個別に使用する他のUEによって複数のバンドルされたTTIでデータを送信するための開始TTIと同じである
ように具体的に構成される。
【０２４４】
任意選択で、別の実施形態では、プロセッサ1413は：
複数のバンドルされたTTIの各々でUEによって送信された受信データに対してハイブリッド自動再送要求HARQ合成処理を実行する
ように具体的に構成される。
【０２４５】
任意選択で、複数のバンドルされたTTIは、連続TTIまたは不連続TTIを含む。
【０２４６】
任意選択で、伝送リソースは、プリアンブルシーケンス、パイロットリソース、時間領域リソース、周波数リソース、コードワードリソース、およびビームリソースのうちの少なくとも1つを含む。
【０２４７】
任意選択で、伝送フォーマットは、伝送コードブロックサイズ、データ変調次数、およびデータ符号化方式のうちの少なくとも1つを含む。
【０２４８】
上記の技術的解決策に基づいて、本発明の実施形態におけるデータ伝送方法によれば、ユーザ機器は、複数の伝送リソースグループからターゲットリソースグループを選択してデータを基地局に送信し、基地局は、ユーザ機器がデータを送信するときに使用される伝送リソースのターゲットリソースグループを決定し、その結果、スケジューリングフリー伝送プロセスにおいてユーザ機器によって送信されたデータを処理するために適切な伝送フォーマットを柔軟に選択し、基地局のデータ受信および処理性能を改善する。
【０２４９】
前述のシステム、装置、およびユニットの詳細な作動プロセスのための、簡便な説明の目的で、前述の方法の実施形態に対応するプロセスが参照され得ることは、当業者であれば明確に理解することができ、詳細はここでは再度説明しない。
【０２５０】
なお、本発明の実施形態におけるプロセッサは、中央処理装置（Central Processing Unit、略して「CPU」）であってもよく、または、別の汎用プロセッサ、デジタル信号プロセッサ（Digital Signal Processor、略して「DSP」）、特定用途向け集積回路（Application Specific Integrated Circuit、略して「ASIC」）、フィールドプログラマブルゲートアレイ（Field Programmable Gates Array、略して「FPGA」）、または他のプログラマブル論理デバイス、ディスクリートゲートもしくはトランジスタ論理デバイス、ディスクリートハードウェアコンポーネントなどであってもよい。汎用プロセッサはマイクロプロセッサであってもよいし、プロセッサは任意の従来のプロセッサなどであってもよい。
【０２５１】
実装プロセスにおいて、前述の方法におけるステップを、プロセッサ内のハードウェア集積論理回路を使用することによって、またはソフトウェアの形の命令を使用することによって実施することができる。本発明の実施形態を参照して開示された方法のステップは、ハードウェアプロセッサによって直接実行されてもよく、またはプロセッサ内のハードウェアとソフトウェアモジュールとの組み合わせを使用することによって実行されてもよい。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当該技術分野で成熟した記憶媒体に配置されてもよい。記憶媒体はメモリ内に配置され、プロセッサはメモリ内の命令を実行し、プロセッサのハードウェアと組み合わせて前述の方法のステップを完了する。繰り返しを避けるために、詳細はここでは説明しない。
【０２５２】
当業者であれば、本明細書で開示された実施形態で説明した例との組み合わせで、方法のステップやユニットが、電子ハードウェア、コンピュータソフトウェア、またはそれらの組み合わせによって実施され得ることを認識することができる。ハードウェアとソフトウェアとの間の互換性を明確に説明するために、前述の説明は概して、機能に応じた各実施形態のステップおよび構成を説明している。機能がハードウェアまたはソフトウェアによって実行されるかどうかは、特定のアプリケーションおよび技術的解決策の設計制約条件に依存している。当業者であれば、特定の各アプリケーションのために説明した機能を実装するために異なる方法を使用することができるが、実装が本発明の範囲外であると考えられるべきではない。
【０２５３】
本出願で提供されるいくつかの実施形態では、開示されたシステム、装置、および方法は、他の態様で実現されてもよいことが理解されるべきである。例えば、説明した装置の実施形態は単なる例である。例えば、ユニットの部分は単に論理機能の部分であり、実際の実装においては他の部分であってもよい。例えば、複数のユニットまたはコンポーネントが組み合わされてもよく、または別のシステムに統合されてもよく、あるいは、一部の機能が無視されて、実行されなくてもよい。さらに、表示または議論された相互結合または直接結合または通信接続は、いくつかのインタフェース、装置もしくはユニット間の間接結合または通信接続、または電気的接続、機械的接続、あるいは他の形態の接続を介して実施されてもよい。
【０２５４】
別々の部分として記載されたユニットは、物理的に分離されていてもいなくてもよく、ユニットとして表示された部分は、物理的なユニットであってもなくてもよく、1つの位置に配置されていてもよく、または複数のネットワークユニットに分散されていてもよい。ユニットの一部またはすべては、本発明の実施形態の解決策の目的を達成するために実際のニーズに応じて選択されてもよい。
【０２５５】
また、本発明の実施形態における機能ユニットは、1つの処理ユニットに組み込まれてもよく、または各ユニットは、単独で、物理的に存在してもよく、または2つ以上のユニットが1つのユニットに統合される。統合ユニットは、ハードウェアの形態で実装されてもよく、またはソフトウェア機能ユニットの形態で実装されてもよい。
【０２５６】
統合ユニットが、ソフトウェア機能ユニットの形態で実装され、独立した製品として販売または使用される場合、統合ユニットは、コンピュータ読み取り可能な記憶媒体に格納されてもよい。このような理解に基づいて、基本的に本発明の技術的解決策、または従来技術に寄与する部分、または技術的解決策のすべてもしくは一部は、ソフトウェア製品の形態で実現されてもよい。ソフトウェア製品は、記憶媒体に格納され、本発明の実施形態に記載の方法のステップのすべてまたは一部を実行するために、コンピュータデバイス（パーソナルコンピュータ、サーバ、またはネットワークデバイスであってもよい）を指示するためのいくつかの命令を含む。前述の記憶媒体は、例えば、USBフラッシュドライブ、リムーバブルハードディスク、読み取り専用メモリ（Read−Only Memory、略して「ROM」）、ランダムアクセスメモリ（Random Access Memory、略して「RAM」）、磁気ディスク、または光ディスクなどの、プログラムコードを格納することができる任意の媒体を含む。
【０２５７】
前述の説明は、本発明の単なる特定の実施形態であり、本発明の保護範囲を限定することを意図されていない。本発明で開示された技術的範囲内で当業者が容易に考え出す任意の修正または置換は、本発明の保護範囲内に入るものとする。したがって、本発明の保護範囲は、特許請求の範囲の保護範囲に従うものとする。
【符号の説明】
【０２５８】
20  ユーザ機器、UE
30  UE
40  UE
100  無線通信システム
1100  ユーザ機器
1110  決定モジュール
1111  第1の決定サブユニット
1112  取得ユニット
1113  第2の決定サブユニット
1120  送信モジュール
1130  受信モジュール
1200  基地局
1210  受信モジュール
1220  処理モジュール
1230  決定モジュール
1240  第1の送信モジュール
1250  グループ化モジュール
1260  第2の送信モジュール
1300  ユーザ機器
1310  プロセッサ
1320  送信機
1330  受信機
1340  メモリ
1350  バスシステム
1400  基地局
1410  プロセッサ
1420  送信機
1430  受信機
1440  メモリ
1450  バスシステム
【図１】
2019520768.tif 000003
【図２】
2019520768.tif 000004
【図３】
2019520768.tif 000005
【図４】
2019520768.tif 000006
【図５】
2019520768.tif 000007
【図６】
2019520768.tif 000008
【図７】
2019520768.tif 000009
【図８】
2019520768.tif 000010
【図９】
2019520768.tif 000011
【図１０】
2019520768.tif 000012
【図１１】
2019520768.tif 000013
【図１２】
2019520768.tif 000014
【図１３】
2019520768.tif 000015
【図１４】
2019520768.tif 000016
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
データ伝送方法であって、前記方法は、ユーザ機器（UE）のための基地局のスケジューリングフリーシナリオに適用され、前記方法は、
前記UEによって、複数の伝送リソースグループからターゲットリソースグループを決定するステップと、
前記基地局が前記ターゲットリソースグループに対応する伝送フォーマットを使用してデータに対してデータ処理を実行するように、前記UEによって、前記ターゲットリソースグループ内の伝送リソースを使用して前記基地局に前記データを送信するステップと
を含む、方法。
【請求項２】
前記UEによって、複数の伝送リソースグループからターゲットリソースグループを決定する前記ステップが、
前記UEによって、セル内の前記UEのカバレッジ状況を決定するステップであって、前記カバレッジ状況は、前記セル内の前記UEの位置に関連し、前記セル内の前記UEの前記位置は、前記UEのチャネル伝送状態に関連する、ステップと、
前記UEによって、前記複数の伝送リソースグループに関する情報を取得するステップであって、前記複数の伝送リソースグループは、異なる伝送リソースに対応する、ステップと、
前記複数の伝送リソースグループに関する前記情報および前記UEの前記カバレッジ状況に基づいて前記UEによって、前記複数の伝送リソースグループから前記UEの前記カバレッジ状況に対応する前記ターゲットリソースグループを決定するステップと
を含む、請求項1に記載の方法。
【請求項３】
前記UEによって、前記セル内のUEのカバレッジ状況を決定する前記ステップが、
前記UEによって、前記UEの前記カバレッジ状況を示すために使用され、前記基地局によって送信されるカバレッジ指示情報を受信するステップ、または、
前記UEによって、前記基地局によって送信された最後に受信したダウンリンク基準信号の電力に基づいて、前記UEの前記カバレッジ状況を決定するステップ
を含む、請求項2に記載の方法。
【請求項４】
前記UEによって、前記複数の伝送リソースグループに関する情報を取得する前記ステップが、
前記UEによって、前記基地局によって送信された前記複数の伝送リソースグループに関する前記情報を受信するステップ
を含む、請求項2に記載の方法。
【請求項５】
前記UEによって、複数の伝送リソースグループからターゲットリソースグループを決定する前記ステップが、
前記UEによって、前記ターゲットリソースグループを示すために使用され、前記基地局によって送信されるリソース指示情報を受信するステップ
を含む、請求項1に記載の方法。
【請求項６】
ユーザ機器（UE）であって、前記UEが、前記UEのための基地局のスケジューリングフリーシナリオに適用され、前記ユーザ機器は、
複数の伝送リソースグループからターゲットリソースグループを決定するように構成された決定モジュールと、
前記決定モジュールによって決定された前記ターゲットリソースグループ内の伝送リソースを使用して前記基地局にデータを送信し、前記基地局が前記ターゲットリソースグループに対応する伝送フォーマットを使用して前記データに対してデータ処理を実行するように構成された送信モジュールと
を含む、ユーザ機器。
【請求項７】
前記決定モジュールが、
セル内の前記UEのカバレッジ状況を決定するように構成された第1の決定サブユニットであって、前記カバレッジ状況は、前記セル内の前記UEの位置に関連し、前記セル内の前記UEの前記位置は、前記UEのチャネル伝送状態に関連する、第1の決定サブユニットと、
前記複数の伝送リソースグループに関する情報を取得するように構成された取得ユニットであって、前記複数の伝送リソースグループは、異なる伝送リソースに対応する、取得ユニットと、
前記複数の伝送リソースグループに関する前記情報および前記UEの前記カバレッジ状況に基づいて、前記複数の伝送リソースグループから前記UEの前記カバレッジ状況に対応する前記ターゲットリソースグループを決定するように構成された第2の決定サブユニットと
を備える、請求項6に記載のユーザ機器。
【請求項８】
前記第1の決定サブユニットが、
前記UEの前記カバレッジ状況を示すために使用され、前記基地局によって送信されるカバレッジ指示情報を受信する、または、
前記基地局によって送信された最後に受信したダウンリンク基準信号の電力に基づいて、前記UEの前記カバレッジ状況を決定する
ように具体的に構成される、請求項7に記載のユーザ機器。
【請求項９】
前記取得ユニットが、
前記基地局によって送信された前記複数の伝送リソースグループに関する前記情報を受信する
ように具体的に構成される、請求項7に記載のユーザ機器。
【請求項１０】
前記基地局が、
前記ターゲットリソースグループを示すために使用され、前記基地局によって送信されるリソース指示情報を受信するように構成された受信モジュール
をさらに備える、請求項6に記載のユーザ機器。
【請求項１１】
基地局であって、前記基地局は、ユーザ機器（UE）のための前記基地局のスケジューリングフリーシナリオに適用され、前記基地局は、
ターゲットリソースグループ内の伝送リソース上で、前記UEによって送信されたデータを受信するように構成された受信モジュールと、
前記ターゲットリソースグループに対応する伝送フォーマットを使用して前記受信モジュールによって受信された前記データに対してデータ処理を実行するように構成された処理モジュールと
を備える、基地局。
【請求項１２】
前記受信モジュールが前記ターゲットリソースグループ内の前記伝送リソースで、前記UEによって送信された前記データを受信する前に、前記基地局が、
セル内の前記UEの前記カバレッジ状況を決定するように構成された決定モジュールであって、前記カバレッジ状況は、前記セル内の前記UEの位置に関連し、前記セル内の前記UEの位置は、前記UEのチャネル伝送状態に関連し、前記決定モジュールは、
複数の伝送リソースグループに関する情報を決定し、前記複数の伝送リソースグループは、異なる伝送リソースに対応し、
前記複数の伝送リソースグループに関する前記情報および前記UEの前記カバレッジ状況に基づいて、前記複数の伝送リソースグループから前記UEの前記カバレッジ状況に対応する前記ターゲットリソースグループを決定する
ようにさらに構成される、決定モジュールと、
前記決定モジュールによって決定された前記ターゲットリソースグループを示すために使用されるリソース指示情報を前記UEに送信するように構成された第1の送信モジュールと
をさらに備える、請求項11に記載の基地局。
【請求項１３】
前記決定モジュールが、
前記UEによって送信された最後に受信したアップリンク基準信号の電力に基づいて前記セル内の前記UEの前記カバレッジ状況を決定する、または、
前記UEの前記カバレッジ状況を示すために使用され、前記UEによって送信されるカバレッジ指示情報を受信する
ように具体的に構成される、請求項12に記載の基地局。
【請求項１４】
前記決定モジュールが、
利用可能な伝送リソースを前記複数の伝送リソースグループに分類するように構成されたグループ化ユニット
を備える、請求項12に記載の基地局。
【請求項１５】
前記受信モジュールが前記ターゲットリソースグループ内の前記伝送リソースで前記UEによって送信された前記データを受信する前に、前記基地局が、
前記利用可能な伝送リソースを前記複数の伝送リソースグループに分類するように構成されたグループ化モジュールであって、前記複数の伝送リソースグループは異なる伝送リソースに対応し、前記複数の伝送リソースグループは前記ターゲットリソースグループを含む、グループ化モジュールと、
前記UEが前記複数の伝送リソースグループから前記ターゲットリソースグループを決定するように、前記複数の伝送リソースグループに関する前記情報を前記UEに送信するように構成された第2の送信モジュールと
をさらに備える、請求項11に記載の基地局。
【国際調査報告】
2019520768.tif 000017
2019520768.tif 000018
2019520768.tif 000019
2019520768.tif 000020